(57)【要約】本願の実施形態は、通信方法及び通信装置を提供する。方法は、第１ネットワークデバイスによって、無線アクセスネットワーク通知エリアＲＮＡに関する、端末へ送られるべき情報を決定することであり、ＲＮＡに関する情報は、少なくとも１つの第１無線アクセスネットワークエリアの識別情報又は少なくとも１つの第１追跡エリアの識別情報を含む、ことと、第１ネットワークデバイスによって、ＲＮＡに関する情報及び少なくとも１つのセルの識別情報を端末へ送信することとを含む。更に、ソース基地局は、ＲＮＡに関する情報及び少なくとも１つのセルの識別情報を端末へ送信する。少なくとも１つのセルの識別情報は、ホワイトリスト又はブラックリストを構成することができ、それにより、端末がブラックリスト内のセルに入るか又はホワイトリスト内のセルから出るとき、端末は現在のセルの基地局へＲＮＡＵ通知メッセージを送信して、ネットワークデバイス又はコアネットワークノードが端末の位置情報を決定するようにし、そして、ダウンリンクデータ又はシグナリングが到着すると、ネットワークデバイス又はコアネットワークノードは成功裏に端末をページングすることができる。
2021520131.tif 000002
【特許請求の範囲】
【請求項１】
第１ネットワークデバイスによって、無線アクセスネットワーク通知エリアＲＮＡに関する、端末へ送られるべき情報を決定することであり、前記ＲＮＡに関する前記情報は、少なくとも１つの第１無線アクセスネットワークエリアの識別情報又は少なくとも１つの第１追跡エリアの識別情報を含む、前記決定することと、
前記第１ネットワークデバイスによって、前記ＲＮＡに関する前記情報及び少なくとも１つのセルの識別情報を前記端末へ送信することと
を有する通信方法。
【請求項２】
前記少なくとも１つのセルの夫々が属する無線アクセスネットワークエリアの識別情報は、前記ＲＮＡに関する前記情報に含まれる前記少なくとも１つの第１無線アクセスネットワークエリアの識別情報に属するか、あるいは、
前記少なくとも１つのセルの夫々が属する追跡エリアの識別情報は、前記ＲＮＡに関する前記情報に含まれる前記少なくとも１つの第１追跡エリアの識別情報に属する、
請求項１に記載の方法。
【請求項３】
当該方法は、
前記第１ネットワークデバイスによって第２ネットワークデバイスから、該第２ネットワークデバイスに対応するセルが属する無線アクセスネットワークエリア又は追跡エリアの識別情報を受信すること、及び／又は
前記第１ネットワークデバイスによって第２ネットワークデバイスから、第３ネットワークデバイスに対応するセルが属する無線アクセスネットワークエリア又は追跡エリアの識別情報を受信すること
を更に有する、
請求項１又は２に記載の方法。
【請求項４】
前記少なくとも１つのセルは、前記第２ネットワークデバイスに対応するセル及び／又は前記第３ネットワークデバイスに対応するセルに基づいて決定される、
請求項３に記載の方法。
【請求項５】
当該方法は、
前記第１ネットワークデバイスによってコアネットワークノードから、少なくとも１つの第２無線アクセスネットワークエリアの識別情報及び該少なくとも１つの第２無線アクセスネットワークエリアの夫々に対応するセルの識別情報を受信すること、又は
前記第１ネットワークデバイスによってコアネットワークノードから、少なくとも１つの第２追跡エリアの識別情報及び該少なくとも１つの第２追跡エリアの夫々に対応するセルの識別情報を受信すること
を更に有する、
請求項１又は２に記載の方法。
【請求項６】
前記少なくとも１つのセルは、前記少なくとも１つの第２無線アクセスネットワークエリアの識別情報及び該少なくとも１つの第２無線アクセスネットワークエリアの夫々に対応するセルの識別情報に基づいて決定されるか、あるいは、
前記少なくとも１つのセルは、前記少なくとも１つの第２追跡エリアの識別情報及び該少なくとも１つの第２追跡エリアの夫々に対応するセルの識別情報に基づいて決定される、
請求項５に記載の方法。
【請求項７】
無線アクセスネットワーク通知エリアＲＮＡに関する情報及び少なくとも１つのセルの識別情報を受信することであり、前記ＲＮＡに関する前記情報は、少なくとも１つの無線アクセスネットワークエリアの識別情報又は少なくとも１つの追跡エリアの識別情報を含む、前記受信することと、
端末の現在のセルの識別情報及び前記少なくとも１つのセルの識別情報に基づいて、無線アクセスネットワーク通知エリア更新ＲＮＡＵ通知メッセージを送るべきかどうかを決定することと
を有し、
前記現在のセルが属する無線アクセスネットワークエリアの識別情報は、前記ＲＮＡに関する前記情報に含まれる、前記少なくとも１つの無線アクセスネットワークエリアの識別情報に属するか、あるいは、前記現在のセルが属する追跡エリアの識別情報は、前記ＲＮＡに関する前記情報に含まれる、前記少なくとも１つの追跡エリアの識別情報に属する、
通信方法。
【請求項８】
前記少なくとも１つのセルの夫々が属する無線アクセスネットワークエリアの識別情報は、前記ＲＮＡに関する前記情報に含まれる、前記少なくとも１つの無線アクセスネットワークエリアの識別情報に属するか、あるいは、
前記少なくとも１つのセルの夫々が属する追跡エリアの識別情報は、前記ＲＮＡに関する前記情報に含まれる、前記少なくとも１つの追跡エリアの識別情報に属する、
請求項７に記載の方法。
【請求項９】
端末の現在のセルの識別情報及び前記少なくとも１つのセルの識別情報に基づいて、無線アクセスネットワーク通知エリア更新ＲＮＡＵ通知メッセージを送るべきかどうかを決定することは、
前記現在のセルの識別情報が前記少なくとも１つのセルのうちのいずれか１つの識別情報と同じであるときに、前記ＲＮＡＵ通知メッセージを前記現在のセルのネットワークデバイスへ送ると決定することを有する、
請求項７又は８に記載の方法。
【請求項１０】
端末の現在のセルの識別情報及び前記少なくとも１つのセルの識別情報に基づいて、無線アクセスネットワーク通知エリア更新ＲＮＡＵ通知メッセージを送るべきかどうかを決定することは、
前記現在のセルの識別情報が前記少なくとも１つのセルの夫々の識別情報とは異なるときに、前記ＲＮＡＵ通知メッセージを前記現在のセルのネットワークデバイスへ送ると決定することを有する、
請求項７又は８に記載の方法。
【請求項１１】
無線アクセスネットワーク通知エリアＲＮＡに関する、端末へ送られるべき情報を決定するよう構成される決定モジュールであり、前記ＲＮＡに関する前記情報は、少なくとも１つの第１無線アクセスネットワークエリアの識別情報又は少なくとも１つの第１追跡エリアの識別情報を含む、前記決定モジュールと、
前記ＲＮＡに関する前記情報及び少なくとも１つのセルの識別情報を前記端末へ送信するよう構成される送信モジュールと
を有する通信装置。
【請求項１２】
前記少なくとも１つのセルの夫々が属する無線アクセスネットワークエリアの識別情報は、前記ＲＮＡに関する前記情報に含まれる前記少なくとも１つの第１無線アクセスネットワークエリアの識別情報に属するか、あるいは、
前記少なくとも１つのセルの夫々が属する追跡エリアの識別情報は、前記ＲＮＡに関する前記情報に含まれる前記少なくとも１つの第１追跡エリアの識別情報に属する、
請求項１１に記載の通信装置。
【請求項１３】
当該通信装置は、受信モジュールを更に有し、該受信モジュールは、
第２ネットワークデバイスから、該第２ネットワークデバイスに対応するセルが属する無線アクセスネットワークエリア又は追跡エリアの識別情報を受信し、かつ／あるいは、
第２ネットワークデバイスから、第３ネットワークデバイスに対応するセルが属する無線アクセスネットワークエリア又は追跡エリアの識別情報を受信する
よう構成される、
請求項１１又は１２に記載の通信装置。
【請求項１４】
前記少なくとも１つのセルは、前記第２ネットワークデバイスに対応するセル及び／又は前記第３ネットワークデバイスに対応するセルに基づいて決定される、
請求項１３に記載の通信装置。
【請求項１５】
当該通信装置は、受信モジュールを更に有し、該受信モジュールは、
コアネットワークノードから、少なくとも１つの第２無線アクセスネットワークエリアの識別情報及び該少なくとも１つの第２無線アクセスネットワークエリアの夫々に対応するセルの識別情報を受信するか、あるいは、
コアネットワークノードから、少なくとも１つの第２追跡エリアの識別情報及び該少なくとも１つの第２追跡エリアの夫々に対応するセルの識別情報を受信する
よう構成される、
請求項１１又は１２に記載の通信装置。
【請求項１６】
前記少なくとも１つのセルは、前記少なくとも１つの第２無線アクセスネットワークエリアの識別情報及び該少なくとも１つの第２無線アクセスネットワークエリアの夫々に対応するセルの識別情報に基づいて決定されるか、あるいは、
前記少なくとも１つのセルは、前記少なくとも１つの第２追跡エリアの識別情報及び該少なくとも１つの第２追跡エリアの夫々に対応するセルの識別情報に基づいて決定される、
請求項１５に記載の通信装置。
【請求項１７】
無線アクセスネットワーク通知エリアＲＮＡに関する情報及び少なくとも１つのセルの識別情報を受信するよう構成される受信モジュールであり、前記ＲＮＡに関する前記情報は、少なくとも１つの無線アクセスネットワークエリアの識別情報又は少なくとも１つの追跡エリアの識別情報を含む、前記受信モジュールと、
端末の現在のセルの識別情報及び前記少なくとも１つのセルの識別情報に基づいて、無線アクセスネットワーク通知エリア更新ＲＮＡＵ通知メッセージを送るべきかどうかを決定する決定モジュールと
を有し、
前記現在のセルが属する無線アクセスネットワークエリアの識別情報は、前記ＲＮＡに関する前記情報に含まれる、前記少なくとも１つの無線アクセスネットワークエリアの識別情報に属するか、あるいは、前記現在のセルが属する追跡エリアの識別情報は、前記ＲＮＡに関する前記情報に含まれる、前記少なくとも１つの追跡エリアの識別情報に属する、
通信装置。
【請求項１８】
前記少なくとも１つのセルの夫々が属する無線アクセスネットワークエリアの識別情報は、前記ＲＮＡに関する前記情報に含まれる、前記少なくとも１つの無線アクセスネットワークエリアの識別情報に属するか、あるいは、
前記少なくとも１つのセルの夫々が属する追跡エリアの識別情報は、前記ＲＮＡに関する前記情報に含まれる、前記少なくとも１つの追跡エリアの識別情報に属する、
請求項１７に記載の通信装置。
【請求項１９】
前記決定モジュールは、前記現在のセルの識別情報が前記少なくとも１つのセルのうちのいずれか１つの識別情報と同じであるときに、前記ＲＮＡＵ通知メッセージを前記現在のセルのネットワークデバイスへ送ると決定するよう特に構成される、
請求項１７又は１８に記載の通信装置。
【請求項２０】
前記決定することとは、前記現在のセルの識別情報が前記少なくとも１つのセルの夫々の識別情報とは異なるときに、前記ＲＮＡＵ通知メッセージを前記現在のセルのネットワークデバイスへ送ると決定するよう特に構成される、
請求項１７又は１８に記載の通信装置。
【請求項２１】
コンピュータプログラムを記憶しているコンピュータ可読記憶媒体であって、
前記コンピュータプログラムがコンピュータで実行されるときに、前記通信装置は、請求項１乃至６又は請求項７乃至１０のうちいずれか一項に記載の方法を実行することを可能にされる、
コンピュータ可読記憶媒体。
【請求項２２】
第１ネットワークデバイスによって第２ネットワークデバイスから、該第２ネットワークデバイスに対応するセルの識別情報と、該第２ネットワークデバイスに対応するセルが属する無線アクセスネットワークエリアの識別情報とを受信することと、
前記第１ネットワークデバイスによって前記第２ネットワークデバイスから、第３ネットワークデバイスに対応するセルの識別情報と、該第３ネットワークデバイスに対応するセルが属する無線アクセスネットワークエリアの識別情報とを受信することと、
前記第１ネットワークデバイスによって、前記第２ネットワークデバイスに対応するセルの識別情報及び／又は該第２ネットワークデバイスに対応するセルが属する無線アクセスネットワークエリアの識別情報に基づいて、あるいは、前記第３ネットワークデバイスに対応するセルの識別情報及び／又は該第３ネットワークデバイスに対応するセルが属する無線アクセスネットワークエリアの識別情報に基づいて、無線アクセスネットワーク通知エリアＲＮＡに関する、端末へ送られるべき情報を決定することと
を有し、
前記ＲＮＡに関する前記情報は、少なくとも１つの第１無線アクセスネットワークエリアの識別情報を含む、
通信方法。
【請求項２３】
当該方法は、
前記第１ネットワークデバイスによって、少なくとも１つのセルの識別情報を前記端末へ送信することを更に有する、
請求項２２に記載の方法。
【請求項２４】
前記少なくとも１つのセルの夫々が属する無線アクセスネットワークエリアの識別情報は、前記ＲＮＡに関する前記情報に含まれる、前記少なくとも１つの第１無線アクセスネットワークエリアの識別情報に属する、
請求項２３に記載の方法。
【請求項２５】
前記少なくとも１つのセルは、前記第２ネットワークデバイスに対応するセル及び／又は前記第３ネットワークデバイスに対応するセルに基づいて決定される、
請求項２３に記載の方法。
【請求項２６】
当該方法は、
前記第１ネットワークデバイスによってコアネットワークノードから、少なくとも１つの第２無線アクセスネットワークエリアの識別情報及び該少なくとも１つの第２無線アクセスネットワークエリアの夫々に対応するセルの識別情報を受信することを更に有する、
請求項２２乃至２４のうちいずれか一項に記載の方法。
【請求項２７】
前記少なくとも１つのセルは、前記少なくとも１つの第２無線アクセスネットワークエリアの識別情報及び該少なくとも１つの第２無線アクセスネットワークエリアの夫々に対応するセルの識別情報に基づいて決定される、
請求項２６に記載の方法。
【請求項２８】
第２ネットワークデバイスによって、第３ネットワークデバイスに対応するセルが属する無線アクセスネットワークエリアの識別情報を受信することと、
前記第２ネットワークデバイスによって第１ネットワークデバイスに対して、当該第２ネットワークデバイスに対応するセルの識別情報及び該第２ネットワークデバイスに対応するセルが属する無線アクセスネットワークエリアの識別情報を送信することと、
前記第２ネットワークデバイスによって前記第１ネットワークデバイスに対して、前記第３ネットワークデバイスに対応するセルの識別情報及び該第３ネットワークデバイスに対応するセルが属する無線アクセスネットワークエリアの識別情報を送信することと
を有する通信方法。
【請求項２９】
請求項２２乃至２７のうちいずれか一項に記載の通信方法を実装するよう構成される通信装置。
【請求項３０】
請求項２８に記載の通信方法を実装するよう構成される通信装置。
【請求項３１】
コンピュータプログラムを記憶しているコンピュータ可読記憶媒体であって、
前記コンピュータプログラムがコンピュータで実行されるときに、前記通信装置は、請求項２２乃至２８のうちいずれか一項に記載の方法を実行することを可能にされる、
コンピュータ可読記憶媒体。
【発明の詳細な説明】
【技術分野】
【０００１】
本願は、通信技術の分野に、特に、通信方法及び通信装置に関係がある。
【背景技術】
【０００２】
通信システムにおいて、ソースネットワークデバイスは、無線アクセスネットワーク通知エリア（RAN  Notification  Area，ＲＮＡ）に関する情報を端末へ送信し、端末は、ＲＮＡに関する情報に基づいて非アクティブ状態に入り、そして、端末はＲＮＡで移動するか、あるいは、ＲＮＡの外に出ることができる。端末がＲＮＡ内で移動する場合に、端末は、無線アクセスネットワーク通知エリア更新（RNA  Update，ＲＮＡＵ）通知メッセージをソースネットワークデバイスへ送信しなくてもよく、あるいは、ＲＮＡＵ通知メッセージをソースネットワークデバイスへ周期的に送信してもよい。端末がＲＮＡの外に出る場合に、端末は、ＲＮＡＵ通知メッセージを現在のサービングセルのネットワークデバイスへ送信する必要があり、それにより、ネットワークデバイスは、ソースネットワークデバイスによって端末に割り当てられたＲＮＡから端末が出ることを知る。
【０００３】
先行技術では、ソースネットワークデバイスがＲＮＡに関する情報を端末へ送信した後、端末をページングすることにおける失敗が容易に引き起こされる。
【発明の概要】
【０００４】
本願の実施形態は、ネットワークデバイス又はコアネットワークノードが成功裏に端末をページングすることができるように、通信方法及び通信装置を提供する。
【０００５】
第１の態様に従って、本願は、通信方法を提供する。方法は、コアネットワークノードによって第１ネットワークデバイスから、無線アクセスネットワーク通知エリアＲＮＡに関する、第１ネットワークデバイスによって端末へ送られる情報を受信するであり、ＲＮＡに関する情報は、少なくとも１つの無線アクセスネットワークエリアの識別情報又は少なくとも１つの追跡エリアの識別情報を含む、ことと、コアネットワークノードによって、識別情報によって示される無線アクセスネットワークエリア又は追跡エリアに対応するセルのネットワークデバイスに、端末をページングするよう指示することとを含む。本実施形態で提供される解決法に従って、非アクティブ状態にある端末が、その端末のために第１ネットワークデバイスによって設定されたＲＮＡから出るときに、端末がページング不可能である場合は回避され得る。
【０００６】
可能な設計で、方法は、コアネットワークノードによって、第１ネットワークデバイスから、少なくとも１つの第２ネットワークデバイスの識別情報を受信することを更に含み、第２ネットワークデバイスは、端末をページングすることができないネットワークデバイスであり、コアネットワークノードによって、識別情報によって示される無線アクセスネットワークエリア又は追跡エリアに対応するセルのネットワークデバイスに、端末をページングするよう指示することは、コアネットワークノードによって、少なくとも１つの第２ネットワークデバイス以外の、識別情報によって示される無線アクセスネットワークエリア又は追跡エリアに対応するセルのネットワークデバイスに、端末をページングするよう指示することを含む。本実施形態で提供される解決法に従って、第１ネットワークデバイス及び第２ネットワークデバイスは、端末を繰り返しページングすることをできないようにされ得る。従って、不必要なページングオーバーヘッドは低減され得、ネットワーク資源は節約され得る。
【０００７】
可能な設計で、方法は、コアネットワークノードによって、第１ネットワークデバイスから、端末の第１識別情報を受信することを更に含み、第１識別情報は、ＲＮＡにおいて端末を一意に識別するために使用され、コアネットワークノードによって、識別情報によって示される無線アクセスネットワークエリア又は追跡エリアに対応するセルのネットワークデバイスに、端末をページングするページングメッセージを送るよう指示することは、コアネットワークノードによって、識別情報によって示される無線アクセスネットワークエリア又は追跡エリアに対応するセルのネットワークデバイスに、第１識別情報を含む第１ページングメッセージを送るよう指示することを含む。
【０００８】
可能な設計で、方法は、コアネットワークノードによって、第１ネットワークデバイスから、端末の第２識別情報を受信することを更に含み、第２識別情報は、システムアーキテクチャエボリューション−一時モバイル加入者アイデンティティＳ−ＴＭＳＩ、国際モバイル加入者アイデンティティＩＭＳＩ、又はＳ−ＴＭＳＩ若しくはＩＭＳＩに基づき決定された識別情報のいずれか１つを含み、コアネットワークノードによって、識別情報によって示される無線アクセスネットワークエリア又は追跡エリアに対応するセルのネットワークデバイスに、端末をページングするページングメッセージを送るよう指示することは、コアネットワークノードによって、識別情報によって示される無線アクセスネットワークエリア又は追跡エリアに対応するセルのネットワークデバイスに、第２識別情報を含む第２ページングメッセージを送るよう指示することを含む。本実施形態で提供される解決法に従って、ネットワークデバイスによって端末をページングする柔軟性は改善され得る。
【０００９】
可能な設計で、方法は、コアネットワークノードによって第１ネットワークデバイスから、端末が第１ページングメッセージをリッスンする周期又は第１ページングメッセージの送信周期を受け取ることを更に含む。本実施形態で提供される解決法に従って、コアネットワークノードは、端末をページングする成功率を改善するために、端末がページングメッセージをリッスンする最小送信周期を選択し得る。
【００１０】
可能な設計で、コアネットワークノードによって、識別情報によって示される無線アクセスネットワークエリア又は追跡エリアに対応するセルのネットワークデバイスに、端末をページングするよう指示した後、方法は、識別情報によって示される無線アクセスネットワークエリア又は追跡エリアに対応するセルのネットワークデバイスが端末をページングすることができない場合に、コアネットワークノードによって、コアネットワークノードによって端末に割り当てられた追跡エリア内のネットワークデバイスへ第２指示情報を送信することを更に含み、第２指示情報は、コアネットワークノードによって端末に割り当てられた追跡エリア内のネットワークデバイスに、端末をページングする第２ページングメッセージを送るよう指示するために使用される。本実施形態で提供される解決法に従って、端末をページングする成功率は更に改善され得る。
【００１１】
可能な設計で、方法は、コアネットワークノードによって複数のネットワークデバイスから、各ネットワークデバイスに対応するセルが属する無線アクセスネットワークエリア又は追跡エリアの識別情報を受信することを更に含む。
【００１２】
第２の態様に従って、本願は、通信方法を提供する。方法は、第１ネットワークデバイスによって、無線アクセスネットワーク通知エリアＲＮＡに関する情報を端末へ送信することであり、ＲＮＡに関する情報は、少なくとも１つの無線アクセスネットワークエリアの識別情報又は少なくとも１つの追跡エリアの識別情報を含む、ことと、第１ネットワークデバイスによって、ＲＮＡに関する情報をコアネットワークノードへ送信することとを含む。
【００１３】
可能な設計で、方法は、第１ネットワークデバイスによって、少なくとも１つの第２ネットワークデバイスの識別情報をコアネットワークノードへそうインすることを更に含み、第２ネットワークデバイスは、端末をページングすることができないネットワークデバイスである。
【００１４】
可能な設計で、方法は、第１ネットワークデバイスによって、端末の第１識別情報をコアネットワークノードへ送信することを更に含み、第１識別情報は、ＲＮＡにおいて端末を一意に識別するために使用される。
【００１５】
可能な設計で、方法は、第１ネットワークデバイスによって、端末の第２識別情報をコアネットワークノードへ送信することを更に含み、第２識別情報は、システムアーキテクチャエボリューション−一時モバイル加入者アイデンティティＳ−ＴＭＳＩ、国際モバイル加入者アイデンティティＩＭＳＩ、又はＳ−ＴＭＳＩ若しくはＩＭＳＩに基づき決定された識別情報のいずれか１つを含む。
【００１６】
可能な設計で、方法は、第１ネットワークデバイスによってコアネットワークノードに対して、端末が第１ページングメッセージをリッスンする周期又は第１ページングメッセージの送信周期を送ることを更に含む。
【００１７】
可能な設計で、方法は、第１ネットワークデバイスによってコアネットワークノードに対して、第１ネットワークデバイスに対応するセルが属する無線アクセスネットワークエリア又は追跡エリアの識別情報を送ることを更に含む。
【００１８】
可能な設計で、方法は、第１ネットワークデバイスによってコアネットワークノードに対して、第１ネットワークデバイスに対応するセルの識別子及びそのセルが属する無線アクセスネットワークエリアの識別情報を送信すること、又は第１ネットワークデバイスによってコアネットワークノードに対して、第１ネットワークデバイスに対応するセルの識別子及びそのセルが属する追跡エリアの識別情報を送信することを更に含む。
【００１９】
第３の態様に従って、本願は、通信方法を提供する。方法は、第１ネットワークデバイスによって、無線アクセスネットワーク通知エリアＲＮＡに関する、端末へ送られるべき情報を決定することであり、ＲＮＡに関する情報は、少なくとも１つの第１無線アクセスネットワークエリアの識別情報又は少なくとも１つの第１追跡エリアの識別情報を含む、ことと、第１ネットワークデバイスによって、ＲＮＡに関する情報及び少なくとも１つのセルの識別情報を端末へ送信することとを含む。本実施形態で提供される解決法に従って、ダウンリンクデータ又はシグナリングが到着すると、ネットワークデバイス又はコアネットワークノードは、成功裏に端末をページングすることができる。
【００２０】
可能な設計で、少なくとも１つのセルの夫々が属する無線アクセスネットワークエリアの識別情報は、ＲＮＡに関する情報に含まれる少なくとも１つの第１無線アクセスネットワークエリアの識別情報に属するか、あるいは、少なくとも１つのセルの夫々が属する追跡エリアの識別情報は、ＲＮＡに関する情報に含まれる少なくとも１つの第１追跡エリアの識別情報に属する。
【００２１】
可能な設計で、方法は、第１ネットワークデバイスによって第２ネットワークデバイスから、第２ネットワークデバイスに対応するセルが属する無線アクセスネットワークエリア又は追跡エリアの識別情報を受信すること、及び／又は第１ネットワークデバイスによって第２ネットワークデバイスから、第３ネットワークデバイスに対応するセルが属する無線アクセスネットワークエリア又は追跡エリアの識別情報を受信することを更に含む。
【００２２】
可能な設計で、少なくとも１つのセルは、第２ネットワークデバイスに対応するセル及び／又は第３ネットワークデバイスに対応するセルに基づいて決定される。
【００２３】
可能な設計で、方法は、第１ネットワークデバイスによってコアネットワークノードから、少なくとも１つの第２無線アクセスネットワークエリアの識別情報及び少なくとも１つの第２無線アクセスネットワークエリアの夫々に対応するセルの識別情報を受信すること、又は第１ネットワークデバイスによってコアネットワークノードから、少なくとも１つの第２追跡エリアの識別情報及び少なくとも１つの第２追跡エリアの夫々に対応するセルの識別情報を受信することを更に含む。
【００２４】
可能な設計で、少なくとも１つのセルは、少なくとも１つの第２無線アクセスネットワークエリアの識別情報及び少なくとも１つの第２無線アクセスネットワークエリアの夫々に対応するセルの識別情報に基づいて決定されるか、あるいは、少なくとも１つのセルは、少なくとも１つの第２追跡エリアの識別情報及び少なくとも１つの第２追跡エリアの夫々に対応するセルの識別情報に基づいて決定される。
【００２５】
第４の態様に従って、本願は、通信方法を提供する。方法は、無線アクセスネットワーク通知エリアＲＮＡに関する情報及び少なくとも１つのセルの識別情報を受信することであり、ＲＮＡに関する情報は、少なくとも１つの無線アクセスネットワークエリアの識別情報又は少なくとも１つの追跡エリアの識別情報を含む、ことと、端末の現在のセルの識別情報及び少なくとも１つのセルの識別情報に基づいて、無線アクセスネットワーク通知エリア更新ＲＮＡＵ通知メッセージを送るべきかどうかを決定することとを含み、現在のセルが属する無線アクセスネットワークエリアの識別情報は、ＲＮＡに関する情報に含まれる、少なくとも１つの無線アクセスネットワークエリアの識別情報に属するか、あるいは、現在のセルが属する追跡エリアの識別情報は、ＲＮＡに関する情報に含まれる、少なくとも１つの追跡エリアの識別情報に属する。
【００２６】
可能な設計で、少なくとも１つのセルの夫々が属する無線アクセスネットワークエリアの識別情報は、ＲＮＡに関する情報に含まれる、少なくとも１つの無線アクセスネットワークエリアの識別情報に属するか、あるいは、少なくとも１つのセルの夫々が属する追跡エリアの識別情報は、ＲＮＡに関する情報に含まれる、少なくとも１つの追跡エリアの識別情報に属する。
【００２７】
可能な設計で、少なくとも１つのセルの識別情報はブラックリストであり、端末の現在のセルの識別情報及び少なくとも１つのセルの識別情報に基づいて、無線アクセスネットワーク通知エリア更新ＲＮＡＵ通知メッセージを送るべきかどうかを決定することは、現在のセルの識別情報が少なくとも１つのセルのうちのいずれか１つの識別情報と同じであるときに、ＲＮＡＵ通知メッセージを現在のセルのネットワークデバイスへ送ると決定することを含む。従って、ネットワークデバイス又はコアネットワークノードは、タイムリーに端末の位置を決定し、ネットワークデバイス又はコアネットワークノードが端末をページングする必要があるときに、ページングエリアは、より良く決定可能であり、それによって、シグナリングオーバーヘッドを削減する。
【００２８】
可能な設計で、少なくとも１つのセルの情報はホワイトリストであり、端末の現在のセルの識別情報及び少なくとも１つのセルの識別情報に基づいて、無線アクセスネットワーク通知エリア更新ＲＮＡＵ通知メッセージを送るべきかどうかを決定することは、現在のセルの識別情報が少なくとも１つのセルの夫々の識別情報とは異なるときに、ＲＮＡＵ通知メッセージを現在のセルのネットワークデバイスへ送ると決定することを含む。従って、ネットワークデバイス又はコアネットワークノードは、タイムリーに端末の位置を決定し、ネットワークデバイス又はコアネットワークノードが端末をページングする必要があるときに、ページングエリアは、より良く決定可能であり、それによって、シグナリングオーバーヘッドを削減する。
【００２９】
第５の態様に従って、本願は、通信装置を提供する。通信装置は、第１乃至第４の態様のいずれか１つに従う通信方法を実装するよう構成されたモジュール、コンポーネント、又は回路を含む。
【００３０】
第６の態様に従って、本願は、通信装置を提供する。通信装置は、
メモリ及びプロセッサを有し、メモリはプロセッサへ結合されており、
プロセッサは、第１の態様、第２の態様、第３の態様、又は第４の態様に従う方法を実行するよう構成される。
【００３１】
可能な設計で、第５及び第６の態様の通信装置は、コアネットワークノード、基地局、又は端末であってよく、あるいは、コアネットワークノード、基地局、又は端末のコンポーネント（例えば、チップ若しくは回路）であってもよい。
【００３２】
第７の態様に従って、本願は、コンピュータ可読記憶媒体を提供する。コンピュータ可読記憶媒体はコンピュータプログラムを記憶しており、コンピュータプログラムがコンピュータで実行される場合に、通信装置は、第１の態様、第２の態様、第３の態様、又は第４の態様に従う方法を実行することを可能にされる。
【００３３】
第８の態様に従って、本願は、コンピュータプログラムを提供する。コンピュータプログラムがコンピュータによって実行される場合に、第１の態様、第２の態様、第３の態様、又は第４の態様に従う方法は実行される。
【００３４】
可能な設計で、第１１の態様のプログラムは、全て又は部分的に、プロセッサとともにパッケージ化された記憶媒体に記憶されてよく、あるいは、全て又は部分的に、プロセッサとともにパッケージ化されていないメモリに記憶されてもよい。
【００３５】
第９の態様に従って、本願の実施形態は、通信システムを更に提供する。通信システムは、第５の態様又は第６の態様に従う通信装置を含む。
【図面の簡単な説明】
【００３６】
【図１】本願の実施形態に従う適用シナリオの概略図である。
【図２】本願の実施形態に従う他の適用シナリオの概略図である。
【図３】本願に従う通信方法の概略図である。
【図４】本願に従う他の通信方法の概略図である。
【図５】本願に従う他の通信方法の概略図である。
【図６】本願に従う他の通信方法の概略図である。
【図７】本願の実施形態に従う通信装置の略構造図である。
【図８】本願の実施形態に従う他の通信装置の略構造図である。
【図９】本願の実施形態に従う他の通信装置の略構造図である。
【図１０】本願の実施形態に従う他の通信方法の略構造図である。
【図１１】本願の実施形態に従う通信装置の略構造図である。
【図１２】本願の実施形態に従う更なる他の通信装置の略構造図である。
【図１３】本願の実施形態に従う更なる他の通信装置の略構造図である。
【発明を実施するための形態】
【００３７】
本願の実施で使用されているいくつかの用語は、単に、本願の具体的な実施形態を説明するために使用されているにすぎず、本願を制限する意図はない。
【００３８】
本願の実施形態は、様々なタイプの通信システムに適用されてよい。図１は、本願の実施形態に従う適用シナリオの概略図である。図１に示される通信システムは、主に、ネットワークデバイス１１及び端末１２を含む。
【００３９】
（１）ネットワークデバイス１１は、ネットワーク側デバイス、例えば、ワイヤレス・フィデリティ（Wireless-Fidelity，Ｗｉ−Ｆｉ）のアクセスポイントＡＰ、又はｇＮＢ、スモールセル、ミクロ基地局、若しくは５ＧにおけるＴＲＰのような、次世代通信における基地局であってよく、あるいは、中継局、アクセスポイント、車載型デバイス、ウェアラブルデバイス、などであってもよい。実施形態において、異なる通信標準の通信システムは、異なる基地局を含む。区別を簡単にするために、４Ｇ通信システムにおける基地局は、ＬＴＥ  ｅＮＢと呼ばれ、５Ｇ通信システムにおける基地局は、ＮＲ  ｇＮＢと呼ばれ、４Ｇ通信システム及び５Ｇ通信システムの両方をサポートする基地局は、ｅＬＴＥ  ｅＮＢと呼ばれる。これらの名称は、単に区別の便宜上であって、限定の意味を有さない。
【００４０】
（２）ユーザ装置（User  Equipment，ＵＥ）とも呼ばれる端末１２は、ユーザにボイス及び／又はデータコネクティビティを提供するデバイス、例えば、無線接続機能を備えている手持ち式デバイス又は車載型デバイスである。一般的な端末には、例えば、携帯電話機、タブレットコンピュータ、ノートブックコンピュータ、パームトップコンピュータ、モバイルインターネットデバイス（mobile  internet  device，ＭＩＤ）、及びスマートウォッチ、スマートバンド、又はペドメータのようなウェアラブルデバイスがある。
【００４１】
（３）「複数の〜」は２つ以上を意味し、他の数量詞はこれに類する。「及び／又は」との語は、関連するオブジェクト間の対応を示し、３つの関係が存在する可能性があることを表す。例えば、Ａ及び／又はＢは、次の３つの場合、すなわち、Ａのみが存在、Ａ及びＢの両方が存在、及びＢのみが存在、を表し得る。文字「／」は、関連するオブジェクト間の“論理和”関係を一般に示す。
【００４２】
図１に示される通信システムに含まれる端末１２の数量及びタイプは、例にすぎず、本願の実施形態は、それに限られない、ことが留意されるべきである。例えば、通信システムは、ネットワークデバイス１１と通信する、より多くの端末１２を更に含んでもよい。簡潔な記載のために、端末１２は、添付の図面で１つずつ示されていない。更には、ネットワークデバイス１１及び端末１２は図１に示される通信システムにおいて示されているが、通信システムは、ネットワークデバイス１１及び端末１２を含むことに制限され得ない。例えば、通信システムは、コアネットワークノード又は、仮想化されたネットワーク機能を担持するよう構成されたデバイスを更に含んでもよい。これは当業者に明らかであり、詳細はここで記載されない。
【００４３】
その上、本願の実施形態は、次世代無線通信システム、すなわち、５Ｇ通信システムに適用されるだけでなく、次世代Ｗｉ−Ｆｉ及び車両の５Ｇインターネットのような、将来出現する可能性がある他のシステムにも適用されてよい。
【００４４】
一般に、端末がアイドル状態（idle  state）にあるとき、端末とネットワークデバイスとの間の無線リソース制御（Radio  Resource  Control，ＲＲＣ）接続は切り離され、端末とネットワークデバイスとの間に連続的なデータ伝送は存在しない。アイドル状態と同様に、端末が非アクティブ状態（inactive  state）にあるとき、端末とネットワークデバイスとの間のＲＲＣ接続はやはり切り離され、連続的なデータ伝送は存在しない。非アクティブ状態は無線リソース制御（Radio  Resource  Control，ＲＲＣ）状態であり、ＲＲＣ非アクティブ状態とも呼ばれる。非アクティブ状態とアイドル状態との間の相違は、端末が非アクティブ状態にあるときには、端末及びアクセスネットワークデバイスが端末のコンテキストを記憶し、アクセスネットワークデバイスが無線アクセスネットワーク通知エリア（RAN  Notification  Area，ＲＮＡ）に関する情報を端末へ送ることにある。一般に、非アクティブ状態に入るよう端末を設定し、端末のコンテキストを記憶するアクセスネットワークデバイスは、ソースネットワークデバイス又はアンカー（anchor）ネットワークデバイスである。
【００４５】
端末が無線アクセスネットワーク通知エリア（RAN  Notification  Area，ＲＮＡ）に関する情報をソースネットワークデバイスから受け取り、非アクティブ状態に入った後、端末は、長期間ＲＮＡに位置している可能性があり、あるいは、ＲＮＡから出る可能性がある。一般に、端末がセル再選択を実行し、ＲＮＡ内の他のセルを選択し直す場合に、端末は、サービングセルの変更についてソースネットワークデバイスへ無線アクセスネットワーク通知エリア更新（RNA  Update，ＲＮＡＵ）通知メッセージを送信しない。しかし、端末がＲＮＡから出る場合には、端末は、端末が現在位置しているサービングセルのネットワークデバイスへＲＮＡＵ通知メッセージを送信して、ネットワークデバイスに、端末が元々設定されていたＲＮＡから出ることを知らせる。従って、ネットワークデバイス又はコアネットワークノードは、ソース基地局によって端末に割り当てられたＲＮＡから端末が出ることをタイムリーに決定する。ネットワークデバイス又はコアネットワークノードが端末をページングする必要がある場合に、ページングエリアは、より良く決定可能であり、それによって、シグナリングオーバーヘッドを削減する。いくつかのシナリオにおいて、ソースネットワークデバイスは、非アクティブ状態に入る端末へコンフィグレーション情報を送り、コンフィグレーション情報は、ＲＮＡＵ通知メッセージを周期的に送信するよう端末に指示するために使用される情報を含み、それにより、端末がＲＮＡ内で移動する場合に、端末は、ＲＮＡＵ通知メッセージをソースネットワークデバイスへ周期的に送信し得る。周期的なＲＮＡＵ通知メッセージは、ソースネットワークデバイスによって記録されている端末の状態が端末の実際の状態と一致することを確かにし得る。
【００４６】
ＲＮＡに関する、ソースネットワークデバイスによって端末へ送られる情報は、次のいくつかの可能な形式を含む。
【００４７】
可能な形式において、ＲＮＡに関する情報は、セル情報である。セル情報は、少なくとも１つのセルの識別情報を含み、少なくとも１つのセルの識別情報は、セルリストを構成する。任意に、セルの識別情報は、具体的に、セルのセルグローバル識別子（Cell  Global  Identifier，ＣＧＩ）、物理セル識別子（Physical  Cell  Identifier，ＰＣＩ）、及びセル識別子（cell  Identifier）のうちの少なくとも１つを含んでよい。
【００４８】
他の可能な形式において、ＲＮＡに関する情報は、ＲＡＮエリア情報である。ＲＡＮエリア情報は、少なくとも１つの無線アクセスネットワーク（Radio  Access  Network，ＲＡＮ）エリア（area）アイデンティティ（Identity，ＩＤ）を含み、少なくとも１つのＲＡＮエリアＩＤは、ＲＡＮエリアＩＤリストを構成する。任意に、ＲＡＮエリアＩＤは、追跡エリアアイデンティティ（Tracking  Area  Identity，ＴＡＩ）及びＲＡＮエリアコード（RAN  Area  Code，ＲＡＮＡＣ）を含んでよく、あるいは、ＲＡＮエリアＩＤは、ＲＡＮＡＣしか含まない。ＲＡＮＡＣによって識別されるエリアは、１つ以上のセルを含む。任意に、ＲＡＮＡＣは、ＴＡＩ範囲内で一意である。
【００４９】
更なる他の可能な形式において、ＲＮＡに関する情報は、追跡エリア情報である。追跡エリア情報は、少なくとも１つの追跡エリアアイデンティティ（Tracking  Area  Identity，ＴＡＩ）を含み、少なくとも１つのＴＡＩは、ＴＡＩリストを構成する。任意に、ＴＡＩは、ＰＬＭＮ識別子及び追跡エリアコード（Tracking  Area  Code，ＴＡＣ）を含んでよく、あるいは、ＴＡＩは、追跡エリアコードしか含まない。
【００５０】
ＲＡＮエリアＩＤ及びＴＡＩは両方とも、セルのエリア識別情報である。相違は、ＲＡＮエリアＩＤがアクセスネットワークによって認識され、ＴＡＮがコアネットワークによって認識される点にある。追跡エリアは、１つ以上のセルを含み、ＲＡＮエリアも、１つ以上のセルを含んでよい。任意に、ＲＡＮエリアの範囲は、追跡エリアＴＡのそれよりも狭い。
【００５１】
この実施形態で、ＲＮＡに関する、ソースネットワークデバイスによって端末へ送られる情報は、少なくとも１つのＲＡＮエリアＩＤ又は少なくとも１つのＴＡＩを含んでよい。例えば、ＲＮＡに関する情報は、少なくとも１つのＲＡＮエリアＩＤを含む。図２に示されるように、追跡エリアＴＡ２０は、複数のセル、例えば、セル０、セル１、セル２、セル３、セル４、セル５、セル６、セル７、及びセル８を含む。セル０は、ソース基地局のセル、すなわち、ソース基地局に対応するセルである。ソース基地局は、ＲＮＡに関する情報を端末へ送信してよく、このとき、ＲＮＡに関する情報は、少なくとも１つのＲＡＮエリアＩＤを含み、少なくとも１つのＲＡＮエリアＩＤは、ＲＡＮエリアＩＤリストを構成してよい。図２に示されるように、セル１、セル２、セル３、セル４、及びセル５は、ソース基地局のセルの隣接セルであり、セル６、セル７、及びセル８は、ソース基地局のセルの非隣接セルである。任意に、ソース基地局とセル１、セル２、セル３、セル４、及びセル５に対応する基地局との間には、Ｘｎインターフェースのような直接インターフェースがあってもよい。ソース基地局とセル６、セル７、及びセル８に対応する基地局との間には直接インターフェースはない。セル１、セル２、セル３、及びセル４に夫々対応するＲＡＮエリアＩＤは１０であり、セル５に対応するＲＡＮエリアＩＤは４であり、セル６及びセル７に夫々対応するＲＡＮエリアＩＤは１０であり、セル８に対応するＲＡＮエリアＩＤは４であり、ソース基地局のセルに対応するＲＡＮエリアＩＤは１０である。ソース基地局と隣接セルの基地局との間には直接Ｘｎインターフェースがあり、ソース基地局は、Ｘｎインターフェースを通じて、隣接セルに対応するＲＡＮエリアＩＤを取得してよい。任意に、隣接セルに対応するＲＡＮエリアＩＤに基づいてソース基地局によって端末へ送られる、ＲＮＡに関する情報は、ＲＡＮエリアＩＤ１０及びＲＡＮエリアＩＤ４を含み、ＲＡＮエリアＩＤ１０及びＲＡＮエリアＩＤ４は、ＲＡＮエリアＩＤリストを構成する。
【００５２】
しかし、端末が図２において実線エリア２２で示される範囲へ移動する場合に、実線エリア２２で示される範囲内のセル６、セル７、及びセル８に夫々対応するＲＡＮエリアＩＤはソース基地局によって端末へ送られたＲＡＮエリアＩＤリストに含まれているので、端末は、端末がソース基地局によって端末に割り当てられたＲＮＡから出ていないと見なし、そのため、端末は、端末が現在位置しているサービングセルの基地局へＲＮＡＵ通知メッセージを送信しない。
【００５３】
例えば、端末はセル６へ移動する。セル６のＲＡＮエリアＩＤは１０であるから、セル６のＲＡＮエリアＩＤは、ソース基地局によって端末へ送られたＲＡＮエリアＩＤリストに含まれている。同様に、端末がセル８へ移動する場合に、セル８のＲＡＮエリアＩＤは４であるから、セル８のＲＡＮエリアＩＤは、ソース基地局によって端末へ送られたＲＡＮエリアＩＤリストに含まれている。具体的に言えば、端末が実線エリア２２で示される範囲へ移動する場合に、端末は、端末がソース基地局によって端末に割り当てられたＲＮＡの外に出ないと見なし、そのため、端末はＲＮＡＵ通知メッセージを送信しない。コアネットワークノードが、ソース基地局に対して、端末に対応するダウンリンクデータ又はシグナリングを送信する場合に、ソース基地局は、成功裏に端末をページングすることができない。結果として、端末は、正常にダウンリンクデータ又はシグナリングを受信することができない。この問題を解決すべく、本願は、端末をページングする成功率を改善するよう通信方法を提供する。以下は、具体的な適用シナリオを組み合わせて通信方法について記載する。
【００５４】
図３は、本願に従う通信方法の概略図である。図３に示されるように、この実施形態で記載される通信方法は、図２に示される適用シナリオに適用可能である。図３において、第１ネットワークデバイスは、非アクティブ状態に入るよう端末を設定するソース基地局であってよい。第２ネットワークデバイスは、具体的に、ソース基地局へのＸｎインターフェースのような直接インターフェースを備えている基地局であってよい。図２に示されるように、第２ネットワークデバイスは、具体的に、ソース基地局のセルに隣接しているセル１、セル２、セル３、セル４、及びセル５の中の少なくとも１つに対応する基地局であってよい。第３ネットワークデバイスは、具体的に、ソース基地局への直接インターフェースを備えていない基地局であってよい。図２に示されるように、第３ネットワークデバイスは、ソース基地局のセルに隣接していないセル６、セル７、及びセル８の中の少なくとも1つに対応する基地局であってよい。通信方法は、具体的に、次のステップを含む。
【００５５】
ステップＳ３０１：第１ネットワークデバイスは、無線アクセスネットワーク通知エリアＲＮＡに関する情報を端末へ送信し、このとき、ＲＮＡに関する情報は、ＲＡＮエリアＩＤ１０及びＲＡＮエリアＩＤ４を含む。
【００５６】
この実施形態では、図２に示されるように、非アクティブ状態での端末のために第１ネットワークデバイスによって設定されたＲＮＡに関する情報が使用される。図２に
示されるシナリオでは、ＲＡＮエリア情報は、例えば、ＲＡＮエリアＩＤ１０及びＲＡＮエリアＩＤ４を含んでよい。
【００５７】
ステップＳ３０２：端末は非アクティブ状態に入る。
【００５８】
第１ネットワークデバイスによって送られるＲＮＡに関する情報を受信した後、端末は非アクティブ状態に入る。
【００５９】
ステップＳ３０３：第１ネットワークデバイスは、ＲＮＡに関する情報をコアネットワークノードへ送る。
【００６０】
この実施形態において、第１ネットワークデバイスは、非アクティブ状態での端末にＲＮＡを割り当てた後に、ＲＮＡに関する情報をコアネットワークノードへ送信する。任意に、第１ネットワークデバイスはまた、非アクティブ状態にある端末がページングされ得ない場合に、ＲＮＡに関する情報をコアネットワークノードへ送信してもよい。
【００６１】
ここで、第１ネットワークデバイスが、非アクティブ状態での端末にＲＮＡを割り当てた後に、ＲＮＡに関する情報をコアネットワークノードへ送信することが、例として使用される。ＲＮＡに関する情報を第１ネットワークデバイスから受信した後、コアネットワークノードは、ＲＮＡに関する情報に含まれているＲＡＮエリアＩＤ１０に基づいて、ＲＡＮエリアＩＤ１０に対応する少なくとも１つのセルを決定し、ＲＮＡに関する情報に含まれているＲＡＮエリアＩＤ４に基づいて、ＲＡＮエリアＩＤ４に対応する少なくとも１つのセルを決定する。
【００６２】
具体的に、コアネットワークノードは、セルの識別情報と、セルが属するＲＡＮエリアの識別情報とに基づいて、ＲＡＮエリアＩＤ１０に対応するセルのネットワークデバイス及びＲＡＮエリアＩＤ４に対応するセルのネットワークデバイスを決定し得る。例えば、コアネットワークノードは、次の表１に示される対応に基づいて、端末をページングするネットワークデバイスを決定する。コアネットワークノードは、端末をページングするネットワークとして、ＲＡＮエリアＩＤ１０及びＲＡＮエリアＩＤ４に対応するセルの全てのネットワークデバイスを決定してよく、あるいは、端末をページングするネットワークデバイスとして、ＲＡＮエリアＩＤ１０及びＲＡＮエリアＩＤ４に対応するセルのいくつかのネットワークデバイスを決定してもよい、ことが理解され得る。可能な様態では、いくつかのネットワークデバイスは、例えば、ＲＡＮエリアＩＤ１０及びＲＡＮエリアＩＤ４に対応するセルの全てのネットワークデバイスの中で、端末をページングすることができないネットワークデバイス以外のネットワークデバイスであってよい。
【００６３】
第１ネットワークデバイスは、コアネットワークノードに対して、端末をページングすることができないネットワークデバイスの識別情報を送信してもよく、それにより、コアネットワークノードは、端末をページングすることができないネットワークデバイスを知り、そして、ページングに失敗するネットワークデバイスが繰り返し端末をページングしないように、ＲＡＮエリアに対応するセルに対応するネットワークデバイスの中で、端末をページングすることができないネットワークデバイス以外のネットワークデバイスに端末をページングするよう指示して、不必要なページングオーバーヘッドを減らしかつネットワーク資源を節約する。
【００６４】
可能な様態において、ＲＮＡに関する情報をコアネットワークノードへ送信する場合に、第１ネットワークデバイスは更に、コアネットワークノードに対して、端末をページングすることができないネットワークデバイスの識別情報を送信してもよい。
【表１】
2021520131.tif 000003
【００６５】
表１に示される対応は、セルの識別情報及びセルに対応するＲＡＮエリアＩＤ情報を使用することによって、コアネットワークノードによって決定され得る、ことが理解され得、このとき、セルの識別情報及びセルに対応するＲＡＮエリアＩＤ情報は、ネットワークデバイスから受信される。ネットワークデバイスは、第１ネットワークデバイス、第２ネットワークデバイス、及び第３ネットワークデバイスに制限されず、ネットワークデバイスは、第１ネットワークデバイス、第２ネットワークデバイス、及び第３以外の更なる他のネットワークデバイスであってもよい。
【００６６】
コアネットワークノードは、表１に示される対応に基づいて、ＲＡＮエリアＩＤ１０に対応するセルがセル０、セル１、セル２、セル３、セル４、セル６、及びセル７を含み、ＲＡＮエリアＩＤ４に対応するセルがセル５及びセル８を含む、と決定する。ソース基地局とセル１、セル２、セル３、セル４、及びセル５に対応する基地局との間には直接インターフェースがあり、セル１、セル２、セル３、セル４、及びセル５に対応する基地局は、本実施形態では第２ネットワークデバイスと呼ばれ得る。ソース基地局とセル６、セル７、及びセル８に対応する基地局との間には直接インターフェースはなく、セル６、セル７、及びセル８に対応する基地局は、本実施形態では第３ネットワークデバイスと呼ばれ得る。コアネットワークノードは、端末をページングするよう第１ネットワークデバイス、第２ネットワークデバイス、及び第３ネットワークデバイスの中の全てのネットワークデバイス又は一部のネットワークデバイスに指示してよい。端末をページングするよう第１ネットワークデバイス、第２ネットワークデバイス、及び第３ネットワークデバイスに指示する方法については、ステップＳ３０４及びＳ３０５、Ｓ３０６及びＳ３０７、並びにＳ３０８及びＳ３０９を参照されたい。
【００６７】
ステップＳ３０４：コアネットワークノードは、指示情報を第１ネットワークデバイスへ送信する。
【００６８】
ステップＳ３０５：第１ネットワークデバイスは、端末をページングするページングメッセージを送信し、このとき、ページングメッセージは、端末の識別情報を含む。
【００６９】
ステップＳ３０６：コアネットワークノードは、指示情報を第２ネットワークデバイスへ送信する。
【００７０】
ステップＳ３０７：第２ネットワークデバイスは、端末をページングするページングメッセージを送信し、このとき、ページングメッセージは、端末の識別情報を含む。
【００７１】
ステップＳ３０８：コアネットワークノードは、指示情報を第３ネットワークデバイスへ送信する。
【００７２】
ステップＳ３０９：第３ネットワークデバイスは、端末をページングするページングメッセージを送信し、このとき、ページングメッセージは、端末の識別情報を含む。
【００７３】
上記のステップＳ３０４乃至Ｓ３０９で記載されるように、コアネットワークノードは、端末をページングするページングメッセージを送るよう第１ネットワークデバイス、第２ネットワークデバイス、及び第３ネットワークデバイスに別々に指示するように、第１ネットワークデバイス、第２ネットワークデバイス、及び第３ネットワークデバイスへ指示情報を別々に送信する。指示情報は、第１ページングメッセージ、例えば、ＲＡＮによってトリガされるページングメッセージ（ＲＡＮベースのページング）を送信するよう第１ネットワークデバイス、第２ネットワークデバイス、及び第３ネットワークデバイスに指示するために使用されてよい。代替的に、指示情報はまた、第２ページングメッセージ、例えば、コアネットワーク（Core  Network，ＣＮ）によってトリガされるページングメッセージ（ＣＮベースのページング）を送信するよう第１ネットワークデバイス、第２ネットワークデバイス、及び第３ネットワークデバイスに指示するために使用されてもよい。指示情報は、関数に基づいて記述され、指示情報は明示的な指示、暗黙的なメッセージ名、又は情報要素指示であってよい、ことが理解され得る。
【００７４】
コアネットワークノードから指示情報を受信した後、第１ネットワークデバイス、第２ネットワークデバイス、及び第３ネットワークデバイスは、指示情報の指示に基づいて、対応するページングメッセージを送信する。ページングメッセージがＲＡＮベースのページングである場合に、ＲＡＮベースのページングは、端末の第１識別情報を含む。第１識別情報は、ＲＮＡにおいて端末を一意に識別し得る。ページングメッセージがＣＮベースのページングである場合に、ＣＮベースのページングは、端末の第２識別情報を含む。端末の第２識別情報は、端末に対応するシステムアーキテクチャエボリューション−一時モバイル加入者アイデンティティ（System  Architecture-Temporary  Mobile  Subscriber  Identity，Ｓ−ＴＭＳＩ）、端末に対応する国際モバイル加入者アイデンティティ（International  Mobile  Subscriber  Identity，ＩＭＳＩ）、又はＳ−ＴＭＳＩ若しくはＩＭＳＩに基づいて決定され、端末に対応する識別情報のうちのいずれか１つであってよい。
【００７５】
ステップＳ３０４、ステップＳ３０６、及びステップＳ３０８の実行順序は、本実施形態で制限されず、ステップＳ３０５、ステップＳ３０７、及びステップＳ３０９の実行順序は制限されない、ことが留意されるべきである。コアネットワークデバイスが、端末をページングするよういくつかネットワークデバイス（例えば、第３ネットワークデバイス）に指示する場合に、Ｓ３０４乃至Ｓ３０７は実行されなくてもよい、ことが理解され得る。
【００７６】
任意に、第１ネットワークデバイス、第２ネットワークデバイス、及び第３ネットワークデバイスへ指示情報を別々に送信する場合に、コアネットワークノードは、端末の第２識別情報を指示情報に付加してよい。第１ネットワークデバイス、第２ネットワークデバイス、及び第３ネットワークデバイスは夫々、指示情報に基づいて、端末をページングする第２ページングメッセージを送信する第２ページングメッセージは、端末の第２識別情報を含む。
【００７７】
可能な様態において、本願のこの実施形態でのステップＳ３０４乃至ステップＳ３０９の記載は、第１ネットワークデバイスがＲＮＡに関する情報をコアネットワークノードへ送信し、コアネットワークノードが他のネットワーク要素から端末に対応するダウンリンクデータ又はシグナリングを受信するプロシージャの後の可能なプロシージャであってよい。
【００７８】
他の可能な様態において、本願のこの実施形態でのステップＳ３０３乃至ステップＳ３０９の記載は、第１ネットワークデバイスがＲＮＡを非アクティブ状態での端末に割り当てた後に、第１ネットワークデバイスがコアネットワークノードから端末に対応するダウンリンクデータ又はシグナリングを受信し、端末にページングし損なうプロシージャの後の可能なプロシージャであってよい。これは、本願のこの実施形態で制限されない。
【００７９】
更には、この実施形態は、ソース基地局によって端末へ送られる、ＲＮＡに関する情報が、ＲＡＮエリア情報である例を使用することによって、記載される。この実施形態は更に、ＲＮＡに関する情報が追跡エリア情報であるシナリオ、又はＲＮＡに関する情報が他のコンフィギュレーションであるシナリオに適用可能である。具体的な実施は、図３に示される実施形態の実施に類似しており、詳細はここで再び記載されない。
【００８０】
この実施形態において、第１ネットワークデバイスは、コアネットワークノードに対して、第１ネットワークデバイスによって非アクティブ状態での端末に割り当てられたＲＮＡに関する情報を送信し、このとき、ＲＮＡに関する情報は、少なくとも１つの無線アクセスネットワークＲＡＮエリアＩＤを含み得る。コアネットワークノードは、ＲＡＮエリアＩＤに対応するセルを決定し、そして、非アクティブ状態にある端末がその端末のために第１ネットワークデバイスによって設定されたＲＮＡから出るときに端末がページングされ得ない場合を回避するために、端末をページングするよう対応するセルのネットワークデバイスに指示し、それにより、端末のダウンリンクシグナリング又はデータはタイムリーに端末へ送信可能であって、端末のサービス経験を改善する。
【００８１】
上記の実施形態に基づいて、第１ネットワークデバイスは更に、端末の識別情報をコアネットワークノードへ送信してよく、端末の識別情報は、第１識別情報又は第２識別情報であってよい。第１識別情報及び第２識別情報は、上記の実施形態で具体的に記載されており、詳細はここで再び記載されない。
【００８２】
図３は、一例として使用される。ステップＳ３０３で、第１ネットワークデバイスは、ＲＮＡに関する情報及び端末の第１識別情報をコアネットワークノードへ送信してよい。ステップＳ３０４で、コアネットワークノードによって第１ネットワークデバイスへ送信される指示情報は、端末をページングするための、ＲＡＮベースのページングのような第１ページングメッセージを送るよう第１ネットワークデバイスに指示するために使用される。ステップＳ３０５で、第１ネットワークデバイスによって送信されるページングメッセージは、具体的に、ＲＡＮベースのページングであり、ＲＡＮベースのページングは、端末の第１識別情報を含む。ステップＳ３０６乃至Ｓ３０９は、これと類似しており、詳細はここで再び記載されない。
【００８３】
代替的に、ステップＳ３０３で、第１ネットワークデバイスは、ＲＮＡに関する情報及び端末の第２識別情報をコアネットワークノードへ送信してよい。ステップＳ３０４で、コアネットワークノードによって第１ネットワークデバイスへ送信される指示情報は、端末をページングするための、ＣＮベースのページングのような第２ページングメッセージを送るよう第１ネットワークデバイスに指示するために使用される。ステップＳ３０５で、第１ネットワークデバイスによって送信されるページングメッセージは、具体的に、ＣＮベースのページングであり、ＣＮベースのページングは、端末の第１識別情報を含む。ステップＳ３０６乃至Ｓ３０９は、これと類似しており、詳細はここで再び記載されない。
【００８４】
この実施形態において、第１ネットワークデバイスは、端末の第１識別情報又は第２識別情報をコアネットワークノードへ送信し、コアネットワークノードは、端末をページングする第１ページングメッセージ又は第２ページングメッセージを送るようネットワークデバイスに指示してよく、それによって、ネットワークデバイスによって端末をページングする柔軟性を改善する。
【００８５】
その上、上記の実施形態に基づいて、第１ネットワークデバイスは更に、コアネットワークノードに対して、端末が第１ページングメッセージをリッスンする周期又は第１ページングメッセージの送信周期を送ってもよい。
【００８６】
図３は、一例として使用される。ステップＳ３０３で、第１ネットワークデバイスは、ＲＮＡに関する情報、端末の第１識別情報、及びページングコンフィグレーション情報をコアネットワークノードへ送信してよい。ステップＳ３０６及びステップＳ３０８で、コアネットワークノードによって第２ネットワークデバイス及び第３ネットワークデバイスへ送信される指示情報は、具体的に、第１指示情報であり、第１指示情報は、端末の第１識別情報及びページングコンフィグレーション情報を含む。ステップＳ３０７及びステップＳ３０９で、第２ネットワークデバイス及び第３ネットワークデバイスは、ページングコンフィグレーション情報に基づいて、端末が第１ページングメッセージをリッスンする周期内で第１ページングメッセージを端末へ送信してよく、それにより、端末は、第１ページングメッセージを正常に受信可能であり、それによって、端末をページングする成功率を改善する。
【００８７】
図３に基づいて、コアネットワークノードが第１ネットワークデバイス、第２ネットワークデバイス、及び第３ネットワークデバイスの中の全て又は一部のネットワークデバイスに端末をページングするよう指示し、指示された全てのネットワークデバイスが端末をページングし損ねた後、コアネットワークノードは、コアネットワークノードによって端末に割り当てられた追跡エリア内のネットワークデバイスへ第２指示情報を更に送信してよく、第２指示情報は、コアネットワークノードによって端末に割り当てられた追跡エリア内のネットワークデバイスに、端末をページングする第２ページングメッセージを送るよう指示するために使用される。コアネットワークノードによって端末に割り当てられた追跡エリアは、ソース基地局によって端末に割り当てられたＲＮＡよりも広いので、コアネットワークノードが追跡エリアＴＡ内の基地局に端末をページングするよう指示する場合に、基地局は、より広い範囲において端末をページングすることができ、それによって、端末をページングする成功率を更に改善する。
【００８８】
上記の実施形態におけるステップ又は動作のいくつか又は全ては例にすぎない、ことが理解され得る。他の動作又は様々な動作の変形が、本願の実施形態において実行されてよい。更には、ステップは、上記の実施形態で示されているものとは異なる順序で実行されてもよく、上記の実施形態における全ての動作が必ず実行されるわけではない。
【００８９】
他の可能な実施形態において、以下は、コアネットワークノードによってセルの識別子とセルが属するＲＡＮエリアのアイデンティティとの間の対応を確立する方法について記載する。方法は、次のいくつかの実現可能な実施を含む。
【００９０】
実現可能な実施において、図４に示されるように、基地局は、ＲＡＮエリアＩＤ及びセルの識別情報をコアネットワークノードへ送信する。ＲＡＮエリアＩＤは、基地局に対応するセルが属するＲＡＮエリアのアイデンティティである。コアネットワークノードは、セルの識別子とＲＡＮエリアＩＤとの間の対応を、基地局に対応するセルに基づいて確立する。
【００９１】
任意に、基地局は、１つのセルに対応しており、基地局は、コアネットワークノードに対して、セルに対応するＲＡＮエリアＩＤを送信する。
【００９２】
任意に、基地局は、複数のセルに対応しており、複数のセルの全てが属するＲＡＮエリアは同じアイデンティティを有し、つまり、複数のセルは、同じＲＡＮエリアＩＤに対応しており、基地局は、コアネットワークノードに対して、複数のセルに対応するＲＡＮエリアＩＤを送信する。コアネットワークノードは、ＲＡＮエリアＩＤと複数のセルの夫々の識別子との間の対応を確立する。
【００９３】
他の実現可能な実施では、図４に示されるように、基地局は、コアネットワークノードに対して、セルの識別情報及びセルが属するＲＡＮエリアの識別情報を送信する。
【００９４】
任意に、基地局は、複数のセルに対応してよく、複数のセルの全てが属するＲＡＮエリアは異なるアイデンティティを有し、つまり、複数のセルは異なるＲＡＮエリアＩＤに対応している。例えば、基地局は、セル１及びセル２に対応しており、セル１に対応しているＲＡＮエリアＩＤは１であり、セル２に対応しているＲＡＮエリアＩＤは２である。基地局は、セル１の識別情報及びＲＡＮエリアＩＤ１並びにセル２の識別情報及びＲＡＮエリアＩＤ２をコアネットワークノードへ送信する。基地局に対応している複数のセルは、同じＲＡＮエリアに属してもよいことが理解され得る。これは、本願のこの実施形態で制限されない。
【００９５】
任意に、基地局は、１つのセル１に対応してよい。セルは異なるＲＡＮエリアに属してよく、つまり、セルは複数の異なるＲＡＮエリアＩＤに対応している。例えば、セルはＲＡＮエリアＩＤ１及びＲＡＮエリアＩＤ２に対応しており、基地局は、セルの識別情報１、ＲＡＮエリアＩＤ１、及びＲＡＮエリアＩＤ２をコアネットワークノードへ送信する。代替的に、基地局は、セルの識別情報１及びＲＡＮエリアＩＤ１並びにセルの識別情報１及びＲＡＮエリアＩＤ２をコアネットワークノードへ送信する。
【００９６】
この実施形態における基地局は、上記の実施形態における第１ネットワークデバイス、第２ネットワークデバイス、又は第３ネットワークデバイスであってよく、あるいは、他のネットワークデバイスであってもよい、ことが理解され得る。これは、この実施形態で特に制限されない。
【００９７】
この実施形態は、ソース基地局によって端末へ送られる、ＲＮＡに関する情報がＲＡＮエリア情報である例を使用することによって記載される点が留意されるべきである。この実施形態は更に、ＲＮＡに関する情報が追跡エリア情報であるシナリオ、及びＲＮＡに関する情報が他のコンフィギュレーションであるシナリオに適用可能である。
【００９８】
任意に、基地局は、コアネットワークノードへ送信されるインターフェース確立要求メッセージ又は基地局コンフィギュレーション更新メッセージに次の情報、すなわち、ＲＡＮエリアＩＤ、セルの識別情報、セルが属するＲＡＮエリアの識別情報、追跡エリアＩＤ、セルの識別情報、及びセルの追跡エリアの識別情報、のいずれか１つを付加してよい。
【００９９】
上記の実施形態において、コアネットワークノードによって、セルの識別子とセルが属するＲＡＮエリアのアイデンティティとの間の対応を確立する方法は、図３に示される方法実施形態に適用可能であり、あるいは、図３に示される方法実施形態とは無関係であってよく、対応が適用され得る他のシナリオに適用可能である、ことが理解され得る。これは、本願のこの実施形態で制限されない。
【０１００】
図５は、本願に従う他の通信方法の概略図である。図５に示されるように、通信方法は、次のステップを含んでよい。
【０１０１】
ステップＳ５０１：ソース基地局は、ＲＮＡに関する情報及び少なくとも１つのセルの識別情報を端末へ送信する。
【０１０２】
この実施形態では、ソース基地局によって端末へ送られる、ＲＮＡに関する情報がＲＡＮエリア情報である例が、使用されている。ＲＡＮエリア情報は、ＲＡＮエリアＩＤ１０及びＲＡＮエリアＩＤ４を含む。更には、ソース基地局は更に、少なくとも１つのセルの識別情報を端末へ送信し、少なくとも１つのセルの夫々が属する無線アクセスネットワークエリアの識別情報は、ＲＮＡに関する情報に含まれる、少なくとも１つの無線アクセスネットワークエリアの識別情報に属する。任意に、少なくとも１つのセルの夫々のＰＬＭＮアイデンティティは、ＲＮＡ内の少なくとも１つのセルのＰＬＭＮアイデンティティに属する。例えば、ソース基地局によって端末へ送られる、少なくとも１つのセルの識別情報は、図２に示されるセル１、セル２、セル３、セル４、及びセル５の識別情報である。セル１、セル２、セル３、及びセル４に対応するＲＡＮエリアＩＤは１０であり、ＲＡＮエリアＩＤ１０は、ソース基地局によって端末へ送られる、ＲＮＡに関する情報に含まれているＲＡＮエリアＩＤ１０及びＲＡＮエリアＩＤ４に属する。セル５に対応するＲＡＮエリアＩＤ４も、ソース基地局によって端末へ送られる、ＲＮＡに関する情報に含まれているＲＡＮエリアＩＤ１０及びＲＡＮエリアＩＤ４に属する。任意に、この実施形態において、セル１、セル２、セル３、セル４、及びセル５の識別情報を含むリストは、ホワイトリストと呼ばれる。可能な様態において、ホワイトリスト内のセルは、ソース基地局に対応するセルの隣接セルであってよい。代替的に、他の可能な様態では、ホワイトリスト内のセルに対応する基地局は、ソース基地局に対する、Ｘｎインターフェースのような直接インターフェースを備えている。
【０１０３】
代替的に、ソース基地局によって端末へ送られる、少なくとも１つのセルの識別情報は、図２に示されるセル６、セル７、及びセル８の識別情報である。セル６及びセル７に対応するＲＡＮエリアＩＤは１０であり、ＲＡＮエリアＩＤ１０は、ソース基地局によって端末へ送られる、ＲＮＡに関する情報に含まれているＲＡＮエリアＩＤ１０及びＲＡＮエリアＩＤ４に属する。セル８に対応するＲＡＮエリアＩＤ４も、ソース基地局によって端末へ送られる、ＲＮＡに関する情報に含まれているＲＡＮエリアＩＤ１０及びＲＡＮエリアＩＤ４に属する。任意に、この実施形態において、セル６、セル７、及びセル８の識別情報を含むリストは、ブラックリストと呼ばれる。可能な様態において、ブラックリスト内のセルは、ソース基地局に対応するセルの非隣接セルである。代替的に、他の可能な様態では、ブラックリスト内のセルに対応する基地局は、ソース基地局に対する、Ｘｎインターフェースのような直接インターフェースを備えていない。
【０１０４】
この実施形態において、セルの識別情報は、セルグローバル識別子（Cell  Global  Identifier，ＣＧＩ）であってよく、ＣＧＩは、セルを一意に識別するために使用される。代替的に、セルの識別情報は、セル識別子であってよく、セル識別子は、ＰＬＭＮにおいてセルを一意に識別するために使用される。代替的に、セルの識別情報は、物理セル識別子（Physical  Cell  Identifier，ＰＣＩ）及び周波数チャネル番号であってよい。セルがセル識別子又はＰＣＩ及び周波数チャネル番号を使用することによって識別される場合に、セルは、セルに対応するＲＡＮエリアＩＤを参照して一意に識別され得、つまり、セルは、ＰＣＩ、周波数チャネル番号、及びＲＡＮエリアＩＤを使用することによって一意に識別される。
【０１０５】
ステップＳ５０２：端末は非アクティブ状態に入る。
【０１０６】
ＲＮＡに関する情報及び少なくとも１つのセルの識別情報をソース基地局から受信した後、端末は非アクティブ状態に入る。
【０１０７】
ステップＳ５０３：端末は、端末の現在のセルの識別情報及び少なくとも１つのセルの識別情報に基づいて、ＲＮＡＵ通知メッセージを送るべきかどうかを決定する。
【０１０８】
非アクティブ状態にある端末は、ＲＡＮエリアＩＤ１０及びＲＡＮエリアＩＤ４に対応するセル内で移動してよく、あるいは、ＲＡＮエリアＩＤ１０及びＲＡＮエリアＩＤ４に対応するセルの外に出ることもある。
【０１０９】
本願のこの実施形態では、端末の現在のセルが属する無線アクセスネットワークエリアの識別情報が、ソース基地局によって端末へ送られるＲＮＡに関する情報に含まれている少なくとも１つの無線アクセスネットワークエリアの識別情報に属するシナリオにおいて、例えば、端末の現在のセルが則する無線アクセスネットワークエリアの識別情報は、ＲＡＮエリアＩＤ１０であり、ＲＡＮエリアＩＤは、ソース基地局によって端末へ送られるＲＮＡに関する情報に含まれている少なくとも１つの無線アクセスネットワークエリアの識別情報に属する。代替的に、端末の現在のセルが則する無線アクセスネットワークエリアの識別情報は、ＲＡＮエリアＩＤ１０であり、ＲＡＮエリアＩＤ１０は、ソース基地局によって端末のために設定されたＲＮＡに関する情報内のＲＡＮエリアＩＤ１０と同じである。図２に示されるように、現在のセルは、セル１、セル２、セル３、セル４、セル５、セル６、及びセル７であってよい。端末の現在のセルが属する無線アクセスネットワークエリアの識別情報がＲＡＮエリアＩＤ４である場合には、現在のセルは、セル５又はセル８であってよい。
【０１１０】
端末が、端末の現在のセルの識別情報及び少なくとも１つのセルの識別情報に基づいて、ＲＮＡＵ通知メッセージを送るべきかどうかを決定することは、次のいくつかの可能な場合を含む。
【０１１１】
可能な場合に、少なくとも１つのセルは、端末に、その少なくとも１つのセルの識別情報に対応するセルのいずれか１つにキャンプオンし、そして、端末が現在キャンプオンしているセルの基地局へＲＮＡＵ通知メッセージを送るよう指示するために使用される。例えば、可能な様態において、少なくとも１つのセルは、ソース基地局に対応するセルの非隣接セルである。例えば、ソース基地局によって端末へ送られる少なくとも１つのセルの識別情報は、セル６、セル７、及びセル８の識別情報である。任意に、セル６、セル７、及びセル８は、ソース基地局に対応するセルの非隣接セルである。代替的に、ソース基地局は、この場合にブラックリストを端末へ送信する、と理解され得る。この場合に、端末が現在キャンプオンしているセルの識別情報が、ブラックリスト内のセルの識別情報と同じである場合に、端末は、端末が現在キャンプオンしているセルの基地局はＲＮＡＵ通知メッセージを送る。
【０１１２】
例えば、端末はセル６にキャンプオンし、セル６に対応するＲＡＮエリアＩＤは１０であり、ＲＡＮエリアＩＤ１０は、ソース基地局によって端末へ送られるＲＮＡに関する情報に含まれている少なくとも１つの無線アクセスネットワークエリアの識別情報に属する。代替的に、セル６に対応するＲＡＮエリアＩＤ１０は、ソース基地局によって端末のために設定されたＲＮＡに関する情報内のＲＡＮエリアＩＤ１０と同じである。この場合に、端末によって受信される少なくとも１つのセルの識別情報はセル６、セル７、及びセル８であり、つまり、セル６の識別情報はブラックリスト内にある。従って、端末は、セル６に対応する基地局へＲＮＡＵ通知メッセージを送信し、それにより、ネットワークデバイス又はコアネットワークノードは、端末の位置情報を決定する。
【０１１３】
可能な場合に、少なくとも１つのセルの識別情報は、端末に、その少なくとも１つのセルの識別情報に対応するセル以外のいずれかのセルにキャンプオンし、そして、端末が現在キャンプオンしているセルの基地局へＲＮＡＵ通知メッセージを送るよう指示するために使用される。例えば、可能な様態において、少なくとも１つのセルは、ソース基地局に対応するセルの隣接セルである。例えば、ソース基地局によって端末へ送られる少なくとも１つのセルの識別情報は、セル１、セル２、セル３、セル４、及びセル５の識別情報である。任意に、セル１、セル２、セル３、セル４、及びセル５は、ソース基地局に対応するセルの隣接セルである。代替的に、ソース基地局は、この場合にホワイトリストを端末へ送信する、と理解され得る。この場合に、端末が現在キャンプオンしているセルの識別情報が、ホワイトリスト内の各セルの識別情報とは異なる場合に、端末は、端末が現在キャンプオンしているセルの基地局はＲＮＡＵ通知メッセージを送る。
【０１１４】
例えば、端末はセル６にキャンプオンし、セル６に対応するＲＡＮエリアＩＤは１０であり、ＲＡＮエリアＩＤ１０は、ソース基地局によって端末へ送られるＲＮＡに関する情報に含まれている少なくとも１つの無線アクセスネットワークエリアの識別情報に属する。代替的に、セル６に対応するＲＡＮエリアＩＤ１０は、ソース基地局によって端末のために設定されたＲＮＡに関する情報内のＲＡＮエリアＩＤ１０と同じである。この場合に、端末によって受信される少なくとも１つのセルの識別情報はセル１、セル２、セル３、セル４、及びセル５であり、つまり、セル６の識別情報はホワイトリスト内にない。従って、端末は、セル６に対応する基地局へＲＮＡＵ通知メッセージを送信し、それにより、ネットワークデバイス又はコアネットワークノードは、端末の位置情報を決定する。
【０１１５】
端末の現在のセルが属する無線アクセスネットワークエリアの識別情報が、ソース基地局によって端末へ送られるＲＮＡに関する情報に含まれている少なくとも１つの無線アクセスネットワークエリアの識別情報に属さないシナリオにおいて、端末は、現在のセルのネットワークデバイスへＲＮＡＵ通知メッセージを送る、ことが理解され得る。
【０１１６】
可能な様態において、ソース基地局によって端末へ送られる少なくとも１つのセルの識別情報がホワイトリスト又はブラックリストであるかどうかは、通信プロトコルを使用することによって前もって合意されてよい。
【０１１７】
その上、他の実施では、ソース基地局は更に、ソース基地局によって端末へ送られる少なくとも１つのセルの識別情報がホワイトリスト又はブラックリストであるかどうかを示すために使用される指示情報を端末へ送信してもよい。ソース基地局は、指示情報及び少なくとも１つのセルの識別情報を同時に端末へ送ってよく、あるいは、指示情報及び少なくとも１つのセルの識別情報を順に端末へ送ってもよい。
【０１１８】
この実施形態は、ソース基地局によって端末へ送られるＲＮＡに関する情報がＲＡＮエリア情報である例を使用することによって記載される、ことが理解され得る。この実施形態は更に、ＲＮＡに関する情報が追跡エリア情報であるシナリオ、又はＲＮＡに関する情報が他のコンフィギュレーションであるシナリオに適用可能である。具体的な実施は、図５に示される実施形態の実施と類似しており、詳細はここで再び記載されない。
【０１１９】
この実施形態において、ソース基地局は、ＲＮＡに関する情報及び少なくとも１つのセルの識別情報を端末へ送信する。少なくとも１つのセルの識別情報は、ホワイトリスト又はブラックリストを構成してよい。端末がブラックリスト内のセルに入るか、あるいは、ホワイトリスト内のセルから出るとき、端末は、現在のセル内の基地局へＲＮＡＵ通知メッセージを送信し、それにより、ネットワークデバイス又はコアネットワークノードは、端末の位置情報を決定し、そして、ダウンリンクデータ又はシグナリングが到着すると、ネットワークデバイス又はコアネットワークノードは、成功裏に端末をページングすることができる。
【０１２０】
上記実施形態においてソース基地局によって端末へ送られるＲＮＡに関する情報に含まれている少なくとも１つの無線アクセスネットワークエリアの識別情報を、続く実施形態においてコアネットワークノードによってソース基地局へ送られる少なくとも１つの無線アクセスネットワークエリアの識別情報と区別するために、上記実施形態においてソース基地局によって端末へ送られるＲＮＡに関する情報に含まれている少なくとも１つの無線アクセスネットワークエリアの識別情報は、少なくとも１つの第１無線アクセスネットワークエリアの識別情報と呼ばれ、続く実施形態においてコアネットワークノードによってソース基地局へ送られる少なくとも１つの無線アクセスネットワークエリアの識別情報は、少なくとも１つの第２無線アクセスネットワークエリアの識別情報と呼ばれる。同様に、上記実施形態においてソース基地局によって端末へ送られるＲＮＡに関する情報に含まれている少なくとも１つの追跡エリアの識別情報は、少なくとも１つの第１追跡エリアの識別情報と呼ばれ、続く実施形態においてコアネットワークノードによってソース基地局へ送られる少なくとも１つの追跡エリアの識別情報は、少なくとも１つの第２追跡エリアの識別情報と呼ばれる。
【０１２１】
可能な実施形態において、ソース基地局は、次のいくつかの実現可能な実施を使用することによって、端末へ送られる少なくとも１つのセルの識別情報を決定し得る。
【０１２２】
実現可能な実施において、ソース基地局は、コアネットワークノードから、少なくとも１つの第２無線アクセスネットワークエリアの識別情報と、少なくとも１つの第２無線アクセスネットワークエリアの夫々の識別情報に対応するセルの識別情報とを受け取り、コアネットワークノードから、少なくとも１つの第２無線アクセスネットワークエリアの識別情報と、少なくとも１つの第２無線アクセスネットワークエリアの夫々の識別情報に対応するセルの識別情報とに基づいて、少なくとも１つのセルの識別情報を決定する。
【０１２３】
任意に、コアネットワークノードは更に、ソース基地局に対して、各第２無線アクセスネットワークエリアに対応するセルの基地局の識別情報を送信してよい。ソース基地局は、基地局の識別情報に基づいて、ソース基地局とその基地局との間に直接インターフェースがあるかどうかを決定し得る。直接インターフェースは、元のインターフェースであってよく、あるいは、基地局の識別情報に基づいてソース基地局によって新たに確立されたインターフェースであってもよい。
【０１２４】
この実施形態において、第２無線アクセスネットワークエリアの識別情報は、第１無線アクセスネットワークエリアの識別情報と同じであっても、又は異なってもよい。例えば、コアネットワークノードは、図４に示される方法で、基地局に対応するセルの識別子と、セルが属するＲＡＮエリアの識別情報とを受信する。基地局は、セル０、セル１、セル２、セル３、セル４、又はセル５に対応する基地局であってよく、あるいは、セル６、セル７、又はセル８に対応する基地局であってよい。コアネットワークノードは、セル０、セル１、セル２、セル３、セル４、セル６、及びセル７に夫々対応するセル識別子と、セル０、セル１、セル２、セル３、セル４、セル６、及びセル７に夫々対応するＲＡＮエリアＩＤとに基づいて、ＲＡＮエリアＩＤ１０と、ＲＡＮエリアＩＤ１０に対応するセルの識別情報とを決定し得る。同様に、コアネットワークノードは、セル０、ＲＡＮエリアＩＤ４と、ＲＡＮエリアＩＤ４に対応するセルの識別情報とを決定し得る。更には、図４に示されるように、基地局は更に、他のセルの基地局であってもよく、他のセルに対応するＲＡＮエリアＩＤは、例えば、３である。コアネットワークノードは更に、ＲＡＮエリアＩＤ３と、ＲＡＮエリアＩＤ３に対応するセルの識別情報とを決定し得る。
【０１２５】
例えば、コアネットワークノードは、ソース基地局に対して、ＲＡＮエリアＩＤ１０と、ＲＡＮエリアＩＤ１０に対応するセルの識別情報と、ＲＡＮエリアＩＤ４と、ＲＡＮエリアＩＤ４に対応するセルの識別情報とを送る。例えば、コアネットワークノードは、｛ＲＡＮエリアＩＤ１０；セル１，セル２，セル３，セル４，セル６，及びセル７｝と、｛ＲＡＮエリアＩＤ４；セル５及びセル８｝とをソース基地局へ送る。ソース基地局は、ＲＡＮエリアＩＤ１０と、ＲＡＮエリアＩＤ１０に対応するセルの識別情報と、ＲＡＮエリアＩＤ４と、ＲＡＮエリアＩＤ４に対応するセルの識別情報とに基づいて、ソース基地局とセル６、セル７、及びセル８に対応する基地局との間に直接インターフェースがないと決定し、そして、ソース基地局は、セル６、セル７、及びセル８をブラックリストとして使用し得る。代替的に、ソース基地局は、セル０、セル１、セル２、セル３、セル４、及びセル５をホワイトリストとして使用する。
【０１２６】
任意に、コアネットワークノードは更に、上記のセルに対応する基地局の識別情報をソース基地局へ送ってもよい。実施において、各基地局はただ１つのセルに対応しており、基地局の識別情報はセルの識別情報に対応している、と仮定される。例えば、ソース基地局の識別情報は０であり、ソース基地局に対応するセル０の識別情報は０である。コアネットワークノードは、｛ＲＡＮエリアＩＤ１０；（基地局１，セル１），（基地局２，セル２），（基地局３，セル３），（基地局４，セル４），（基地局６，セル６），（基地局７，セル７）｝と、｛ＲＡＮエリアＩＤ４；（基地局５，セル５）及び（基地局８，セル８）｝とをソース基地局へ送る。ソース基地局は、コアネットワークノードから受け取られるＲＡＮエリアＩＤ、セルの識別情報、及び基地局の識別情報に基づいて、ソース基地局と基地局６、基地局７、及び基地局８との間に直接インターフェースがないと決定し、ソース基地局は、セル６、セル７、及びセル８をブラックリストとして使用し得る。代替的に、ソース基地局は、セル０、セル１、セル２、セル３、セル４、及びセル５をホワイトリストとして使用する。
【０１２７】
任意に、ＲＡＮエリアＩＤと、ＲＡＮエリアＩＤに対応するセルの識別情報とをソース基地局へ送る前に、コアネットワークノードは、基地局によって送信されたＲＡＮエリアＩＤ情報を受信してもよい。基地局の要求に基づいて、コアネットワークノードは、対応するＲＡＮエリアＩＤ及びＲＡＮエリアＩＤに対応するセルの識別情報を選択的に送信し、それによって、基地局とコアネットワークノードとの間のシグナリングオーバーヘッドを減らす。例えば、この実施形態において、ソース基地局がＲＡＮエリアＩＤ１０をコアネットワークノードへ送る場合に、コアネットワークノードは、ＲＡＮエリアＩＤ１０及びＲＡＮエリアＩＤ１０に対応するセルの識別情報のみをソース基地局へ送る。
【０１２８】
任意に、コアネットワークノードによってソース基地局へ送られる少なくとも１つの第２無線アクセスネットワークエリアの識別情報及び少なくとも１つの第２無線アクセスネットワークエリアの夫々の識別情報に対応するセルの識別情報は、少なくとも１つのタイプのシグナリング、すなわち、初期コンテキストセットアップ要求（INITIAL  CONTEXT  SETUP  REQUEST）、端末コンテキスト変更要求（UE  CONTEXT  MODIFICATION  REQUEST）、及びパス交換要求応答（PATH  SWITCH  REQUEST  ACKNOWLEDGE）、に含まれてよい。更には、シグナリングは、上記のシグナリングに制限されない。
【０１２９】
この実施形態は、ソース基地局が、コアネットワークノードから、少なくとも１つの第２無線アクセスネットワークエリアの識別情報及び少なくとも１つの第２無線アクセスネットワークエリアの夫々の識別情報に対応するセルの識別情報を受信する例を使用することによって記載される、ことが理解され得る。その上、この実施形態は更に、ソース基地局が、コアネットワークノードから、少なくとも１つの第２追跡エリアの識別情報及び少なくとも１つの第２追跡エリアの夫々に対応するセルの識別情報を受信し、少なくとも１つの第２追跡エリアの識別情報及び少なくとも１つの第２追跡エリアの夫々に対応するセルの識別情報に基づいて少なくとも１つのセルの識別情報を決定するシナリオに適用可能である。具体的な実施は、この実施形態の実施と類似しており、詳細はここで再び記載されない。
【０１３０】
他の実現可能な実施では、ソース基地局は、第２ネットワークデバイスから、第２ネットワークデバイスに対応するセルの識別情報と、セルが属する無線アクセスネットワークエリア又は追跡エリアの識別情報とを受け取る。任意に、ソース基地局は、第２ネットワークデバイスから、第２ネットワークデバイスの識別情報を更に受け取ってよく、かつ／あるいは、ソース基地局は、第２ネットワークデバイスから、第３ネットワークデバイスに対応するセルの識別情報と、そのセルが属する無線アクセスネットワークエリア又は追跡エリアの識別情報とを受け取る。任意に、ソース基地局は更に、第３ネットワークデバイスの識別情報を受け取ってもよい。第３ネットワークデバイスの識別情報及び第３ネットワークデバイスに対応するセルが属する無線アクセスネットワークエリア又は追跡エリアの識別情報は、第２ネットワークデバイスによって第３ネットワークデバイスから直接受け取られてよく、あるいは、他のネットワークデバイスから間接的に取得されてもよい。これは、本願のこの実施形態で制限されない。
【０１３１】
図６に示されるように、ソース基地局１と基地局２のような第２ネットワークデバイスとの間には直接Ｘｎインターフェースがあり、ソース基地局１と基地局３のような第３ネットワークデバイスとの間には直接Ｘｎインターフェースがなく、基地局２と基地局３との間には直接Ｘｎインターフェースがある。ソース基地局１及び基地局２は、Ｘｎインターフェースを通じて、ソース基地局１及び基地局２に対応するセルが属するＲＡＮエリア又はＴＡの識別情報を交換してよい。例えば、ソース基地局１は、基地局２に対してＸｎインターフェースを通じて、ソース基地局１に対応するセルが属するＲＡＮエリア又はＴＡの識別情報を送信してよく、基地局２は、ソース基地局１に対してＸｎインターフェースを通じて、基地局２に対応するセルが属するＲＡＮエリア又はＴＡの識別情報を送信してよい。基地局２及び基地局３は、Ｘｎインターフェースを通じて、基地局２及び基地局３に対応するセルが属するＲＡＮエリア又はＴＡの識別情報を交換してよい。基地局２は更に、ソース基地局１に対して、基地局３に対応するセルが属するＲＡＮエリア又はＴＡの識別情報を送信してよい。代替的に、基地局２は更に、基地局３に対して、基地局１に対応するセルが属するＲＡＮエリア又はＴＡの識別情報を送信してよい。例えば、ソース基地局１に対応するセル１が属するＲＡＮエリアの識別情報は、ＲＡＮエリアＩＤ１０であり、ソース基地局１は、基地局２に対応するセルが属するＲＡＮエリアの識別情報がＲＡＮエリアＩＤ１０であることと、基地局３に対応するセルが属するＲＡＮエリアの識別情報がＲＡＮエリアＩＤ１０であることとを決定する。任意に、ソース基地局１は、基地局３の識別情報に基づいて、ソース基地局１と基地局３との間に直接Ｘｎインターフェースがないことを決定する。ソース基地局１によって端末へ送られるＲＮＡに関する情報がＲＡＮエリアＩＤ１０を含む場合に、基地局３に対応するセルの識別情報は、ブラックリストとして使用されてよく、あるいは、基地局２に対応するセルの識別情報は、ホワイトリストとして使用されてよい。
【０１３２】
この実施形態は、ソース基地局によって端末へ送られるＲＮＡに関する情報がＲＡＮエリア情報である例を使用することによって、ことが理解され得る。この実施形態は更に、ＲＮＡに関する情報が追跡エリア情報であるシナリオ、又はＲＮＡに関する情報が他のコンフィギュレーションであるシナリオに適用可能である。具体的な実施は、図６に示される実施形態の実施と一致し、詳細はここで再び記載されない。
【０１３３】
本願のこの実施形態において、１つの基地局（基地局Ａ）がＲＡＮエリアＩＤ又はＴＡの識別情報を他の基地局（基地局Ｂ）へ送信する工程で、基地局Ａは、基地局Ａの識別情報も基地局Ｂへ送信する、と理解され得る。例えば、図５に示されるように、基地局２は、ソース基地局１に対してＸｎインターフェースを通じて、基地局２に対応するセルが属するＲＡＮエリア又はＴＡの識別情報を送るだけでなく、基地局２の識別情報もソース基地局１へ送ってよい。
【０１３４】
この実施形態において、ソース基地局は、ＲＮＡに関する情報及び少なくとも１つのセルの識別情報を端末へ送り、ＲＮＡＵ通知メッセージは、端末の現在の位置に基づいてタイムリーにネットワークデバイス又はコアネットワークノードへ送信及び通知され、それにより、ネットワークデバイス又はコアネットワークノードは、ダウンリンクデータ又はシグナリングが到着するときに端末を見つけることができる。
【０１３５】
上記の実施形態におけるステップ又は動作のいくつか又は全ては例にすぎない、ことが理解され得る。他の動作又は様々な動作の変形が、本願の実施形態において実行されてよい。更には、ステップは、上記の実施形態で示されているものとは異なる順序で実行されてもよく、上記の実施形態における全ての動作が必ず実行されるわけではない。
【０１３６】
上記の実施形態で、端末によって実施される動作又はステップは、端末のために使用され得るコンポーネント（例えば、チップ又は回路）によっても実施されてよく、コアネットワークノードによって実施される動作又はステップは、コアネットワークノードのために使用され得るコンポーネント（例えば、チップ又は回路）によっても実施されてよく、ネットワークデバイス（例えば、第１ネットワークデバイス、第２ネットワークデバイス、及び第３ネットワークデバイス）によって実施される動作又はステップは、ネットワークデバイスのために使用され得るコンポーネント（例えば、チップ又は回路）によっても実施されてよい、と理解され得る。
【０１３７】
図７は、通信装置の略構造図である。通信装置は、上記の方法の実施形態におけるネットワークデバイス（例えば、第１ネットワークデバイス、第２ネットワークデバイス、又は第３ネットワークデバイス）に対応する方法、端末に対応する方法、あるいは、コアネットワークノードに対応する方法を実装するよう構成されてよい。例えば、上記の方法の実施形態の記載を参照されたい。
【０１３８】
通信装置７０は、１つ以上のプロセッサ７１を含んでよい。プロセッサ７１は、処理ユニットと呼ばれることもあり、具体的な制御機能を実装可能である。プロセッサ７１は、汎用プロセッサ、専用プロセッサ、などであってよい。
【０１３９】
任意の設計で、プロセッサ７１はまた、命令７３を記憶してもよく、命令は、プロセッサによって実行されてよく、それにより、通信装置７０は、端末、ネットワークデバイス、又はコアネットワークノードに対応する、上記の方法の実施形態で記載されている方法を実行する。
【０１４０】
他の可能な設計では、通信装置７０は、回路を含んでよい。回路は、上記の方法の実施形態における送信機能、受信機能、又は通信機能を実装するために使用されてよい。
【０１４１】
任意に、通信装置７０は、１つ以上のメモリ７２を含んでよい。メモリ７２は、命令７４又は中間データを記憶する。命令７４はプロセッサによって実行されてよく、それにより、通信装置７０は、上記の方法の実施形態で記載されている方法を実行する。任意に、メモリは更に、他の関連データを記憶してもよい。任意に、プロセッサはまた、命令及び／又はデータを記憶してもよい。プロセッサ及びメモリは、別々に配置されてよく、あるいは、一体化されてもよい。
【０１４２】
任意に、通信装置７０は、トランシーバ７５を更に含んでよい。
【０１４３】
プロセッサ７１は、処理ユニットと呼ばれることがある。トランシーバ７５は、トランシーバユニット、トランシーバ、トランシーバ回路、トランシーバ、などと呼ばれることがあり、通信装置の送信及び受信機能を実装するよう構成される。
【０１４４】
通信装置が図３に示される実施形態におけるコアネットワークノードに対応する動作を実装するよう構成される場合に、例えば、トランシーバは、第１ネットワークデバイスから、第１ネットワークデバイスによって端末へ送られる、無線アクセスネットワーク通知エリアＲＮＡに関する情報を受信し、識別情報によって識別される無線アクセスネットワークエリア又は追跡エリアに対応するセルのネットワークデバイスに、端末をページングするよう指示してよい。トランシーバは更に、他の対応する通信機能を完了してよい。プロセッサは、対応する決定又は制御動作を完了するよう構成されてよい。任意に、対応する命令が更にメモリに記憶されてよい。コンポーネントの具体的な処理様態については、上記の実施形態の関連する記載を参照されたい。
【０１４５】
通信装置が図３の第１ネットワークデバイスに対応する動作を実装するよう構成される場合に、例えば、第１ネットワークデバイスのトランシーバは、無線アクセスネットワーク通知エリアＲＮＡに関する情報を端末へ送信し、かつ、ＲＮＡに関する情報をコアネットワークノードへ送信してよい。トランシーバは更に、他の対応する通信機能を完了してよい。プロセッサは、対応する決定又は制御動作を完了するよう構成されてよい。任意に、対応する命令が更にメモリに記憶されてよい。コンポーネントの具体的な処理様態については、上記の実施形態の関連する記載を参照されたい。
【０１４６】
通信装置が、図５に示される実施形態における第１ネットワークデバイスに対応する動作を実装するよう構成される場合に、プロセッサは、無線アクセスネットワーク通知エリアＲＮＡに関する、端末へ送信されるべき情報を決定するよう構成され、トランシーバは、ＲＮＡに関する情報及び少なくとも１つのセルの識別情報を端末へ送信するよう構成される。任意に、トランシーバは更に、他の関連する通信動作を完了するよう構成されてよく、プロセッサは更に、他の対応する決定又は制御動作、例えば、少なくとも１つのセルに関する情報を決定すること、を完了するよう構成されてよい。任意に、対応する命令が更にメモリに記憶されてよい。コンポーネントの具体的な処理様態については、上記の実施形態の関連する記載を参照されたい。
【０１４７】
通信装置が、図５に示される実施形態における端末に対応する動作を実装するよう構成される場合に、トランシーバは、無線アクセスネットワーク通知エリアＲＮＡに関する情報及び少なくとも１つのセルの識別情報を受信するよう構成され、プロセッサは、端末の現在のセルの識別情報及び少なくとも１つのセルの識別情報に基づいて、無線アクセスネットワーク通知エリア更新ＲＮＡＵ通知メッセージを送るべきかどうかを決定するよう構成される。任意に、トランシーバは更に、他の関連する通信動作を完了するよう構成されてよく、プロセッサは更に、他の対応する決定又は制御動作を完了するよう構成されてよい。任意に、対応する命令が更にメモリに記憶されてよい。コンポーネントの具体的な処理様態については、上記の実施形態の関連する記載を参照されたい。
【０１４８】
本願で記載されるプロセッサ及びトランシーバは、集積回路（integrated  circuit，ＩＣ）、アナログＩＣ、無線周波数集積回路ＲＦＩＣ、混合信号ＩＣ、特定用途向け集積回路（application  specific  integrated  circuit，ＡＳＩＣ）、印刷回路基板（printed  circuit  board，ＰＣＢ）、電子デバイス、などで実装されてよい。プロセッサ及びトランシーバは、相補型金属酸化膜半導体（complementary  metal  oxide  semiconductor，ＣＭＯＳ）、Ｎチャネル金属酸化膜半導体（nMetal-oxide-semiconductor，ＮＭＯＳ）、ｐチャネル金属酸化膜半導体（positive  channel  metal  oxide  semiconductor，ＰＭＯＳ）、バイポーラ接合トランジスタ（Bipolar  Junction  Transistor，ＢＪＴ）、バイポーラＣＭＯＳ（ＢｉＣＭＯＳ）、シリコンゲルマニウム（ＳｉＧｅ）、及びガリウムヒ素（ＧａＡｓ）のような様々なＩＣプロセス技術を使用することによって製造されてよい。
【０１４９】
任意に、通信装置は、独立したデバイスであってよく、あるいは、より大きいデバイスの部分であってよい。例えば、デバイスは、
（１）独立した集積回路ＩＣ、チップ、チップシステム、若しくはサブシステム、
（２）１つ以上のＩＣのセットであって、任意に、ＩＣセットは、データ及び／又は命令を記憶する記憶コンポーネントを更に含んでもよい、前記１つ以上のＩＣのセット、
（３）モデム（ＭＳＭ）のようなＡＳＩＣ、
（４）他のデバイスに組み込まれ得るモジュール、
（５）受信器、端末、携帯電話機、無線デバイス、ハンドセット、モバイルユニット、ネットワークデバイス、など、又は
（６）他のデバイス、など
であってよい。
【０１５０】
図８は、本願の実施形態に従う通信装置の略構造図である。図８に示されるように、通信装置８０は、受信モジュール８０１及び指示モジュール８０２を含む。受信モジュール８０１は、第１ネットワークデバイスから、無線アクセスネットワーク通知エリアＲＮＡに関する、第１ネットワークデバイスによって端末へ送られる情報を受信するよう構成される。指示モジュール８０２は、識別情報によって示される無線アクセスネットワークエリア又は追跡エリアに対応するセルのネットワークデバイスに、端末をページングするよう指示するよう構成される。
【０１５１】
図８で、更に、受信モジュール８０１は、第１ネットワークデバイスから、少なくとも１つの第２ネットワークデバイスの識別情報を受信するよう構成されてよく、第２ネットワークデバイスは、端末をページングすることができないネットワークデバイスである。指示モジュール８０２は、少なくとも１つの第２ネットワークデバイス以外の、識別情報によって示される無線アクセスネットワークエリア又は追跡エリアに対応するセルのネットワークデバイスに、端末をページングするよう指示するよう特に構成される。
【０１５２】
可能な様態で、受信モジュール８０１は、第１ネットワークデバイスから、端末の第１識別情報を受信するよう更に構成されてよく、第１識別情報は、ＲＮＡにおいて端末を一意に識別するために使用される。指示モジュール８０２は、識別情報によって示される無線アクセスネットワークエリア又は追跡エリアに対応するセルのネットワークデバイスに、第１識別情報を含む第１ページングメッセージを送るよう指示するよう構成されてよい。
【０１５３】
他の可能な様態で、受信モジュール８０１は、第１ネットワークデバイスから、端末の第２識別情報を受信するよう更に構成されてよく、第２識別情報は、システムアーキテクチャエボリューション−一時モバイル加入者アイデンティティＳ−ＴＭＳＩ、国際モバイル加入者アイデンティティＩＭＳＩ、又はＳ−ＴＭＳＩ若しくはＩＭＳＩに基づき決定された識別情報のいずれか１つを含む。指示モジュール８０２は、識別情報によって示される無線アクセスネットワークエリア又は追跡エリアに対応するセルのネットワークデバイスに、第２識別情報を含む第２ページングメッセージを送るよう指示するよう構成されてよい。
【０１５４】
任意に、受信モジュール８０１は、第１ネットワークデバイスから、端末が第１ページングメッセージをリッスンする周期又は第１ページングメッセージの送信周期を受け取るよう更に構成されてよい。
【０１５５】
任意に、通信装置は、指示された全てのネットワークデバイスが端末をページングすることができない場合に、通信装置によって端末に割り当てられた追跡エリア内のネットワークデバイスへ第２指示情報を送信するよう構成された送信モジュールを更に含んでもよく、第２指示情報は、通信装置によって端末に割り当てられた追跡エリア内のネットワークデバイスに、端末をページングする第２ページングメッセージを送るよう指示するために使用される。
【０１５６】
任意に、受信モジュール８０１は、複数のネットワークデバイスから、各ネットワークデバイスに対応するセルが属する無線アクセスネットワークエリア又は追跡エリアの識別情報を受信するよう更に構成されてよい。
【０１５７】
図８に示される実施形態における通信装置は、上記の方法の実施形態における技術的解決法を実行するよう構成されてよい。通信装置の実施原理及び技術的効果については、方法の実施形態の関連する記載を参照されたい。任意に、通信装置は、コアネットワークノードであってよく、あるいは、コアネットワークノードのコンポーネント（例えば、チップ又は回路）であってよい。
【０１５８】
図９は、本願に従う他の通信装置の略構造図である。図９に示されるように、通信装置９０は、第１送信モジュール９０１及び第２送信モジュール９０２を含む。第１送信モジュール９０１は、無線アクセスネットワーク通知エリアＲＮＡに関する情報を端末へ送信するよう構成され、ＲＮＡに関する情報は、少なくとも１つの無線アクセスネットワークエリアの識別情報又は少なくとも１つの追跡エリアの識別情報を含む。第２送信モジュール９０２は、ＲＮＡに関する情報をコアネットワークノードへ送信するよう構成される。第２送信モジュール９０２は、コアネットワークノードへ少なくとも１つの第２ネットワークデバイスの識別情報を送信するよう更に構成され、第２ネットワークデバイスは、端末をページングすることができないネットワークデバイスである。
【０１５９】
図９で、第２送信モジュール９０２は、端末の第１識別情報をコアネットワークノードへ送信するよう更に構成され、第１識別情報は、ＲＮＡにおいて端末を一意に識別するために使用される。
【０１６０】
他の可能な様態で、第２送信モジュール９０２は、端末の第２識別情報をコアネットワークノードへ送信するよう更に構成され、第２識別情報は、システムアーキテクチャエボリューション−一時モバイル加入者アイデンティティＳ−ＴＭＳＩ、国際モバイル加入者アイデンティティＩＭＳＩ、又はＳ−ＴＭＳＩ若しくはＩＭＳＩに基づき決定された識別情報のいずれか１つを含む。
【０１６１】
任意に、第２送信モジュール９０２は、コアネットワークノードに対して、端末が第１ページングメッセージをリッスンする周期又は第１ページングメッセージの送信周期を送ることよう更に構成されてよい。
【０１６２】
任意に、第２送信モジュール９０２は、コアネットワークノードに対して、通信装置に対応するセルが属する無線アクセスネットワークエリア又は追跡エリアの識別情報を送るよう更に構成されてよい。
【０１６３】
任意に、第２送信モジュール９０２は、コアネットワークノードに対して、通信装置に対応するセルの識別子及びそのセルが属する無線アクセスネットワークエリアの識別情報を送信するか、あるいは、コアネットワークノードに対して、通信装置に対応するセルの識別子及びそのセルが属する追跡エリアの識別情報を送信するよう更に構成される。
【０１６４】
図９に示される実施形態における通信装置は、上記の方法の実施形態における技術的解決法を実行するよう構成されてよい。通信装置の実施原理及び技術的効果については、方法の実施形態の関連する記載を参照されたい。任意に、通信装置は、基地局であってよく、あるいは、基地局のコンポーネント（例えば、チップ又は回路）であってよい。
【０１６５】
図１０は、本願の実施形態に従う他の通信装置の略構造図である。図１０に示されるように、通信装置１００は、決定モジュール１００１及び送信モジュール１００２を含む。決定モジュール１００１は、無線アクセスネットワーク通知エリアＲＮＡに関する、端末へ送られるべき情報を決定するよう構成され、ＲＮＡに関する情報は、少なくとも１つの第１無線アクセスネットワークエリアの識別情報又は少なくとも１つの第１追跡エリアの識別情報を含む。送信モジュール１００２は、ＲＮＡに関する情報及び少なくとも１つのセルの識別情報を端末へ送信するよう構成される。
【０１６６】
図１０で、更に、少なくとも１つのセルの夫々が属する無線アクセスネットワークエリアの識別情報は、ＲＮＡに関する情報に含まれる少なくとも１つの第１無線アクセスネットワークエリアの識別情報に属するか、あるいは、少なくとも１つのセルの夫々が属する追跡エリアの識別情報は、ＲＮＡに関する情報に含まれる少なくとも１つの第１追跡エリアの識別情報に属する。
【０１６７】
可能な様態で、通信装置１００は、受信モジュール１００３を更に含んでもよい。受信モジュール１００３は、第２ネットワークデバイスから、第２ネットワークデバイスに対応するセルが属する無線アクセスネットワークエリア又は追跡エリアの識別情報を受信し、かつ／あるいは、第２ネットワークデバイスから、第３ネットワークデバイスに対応するセルが属する無線アクセスネットワークエリア又は追跡エリアの識別情報を受信するよう構成される。
【０１６８】
上記の実施形態において、少なくとも１つのセルは、第２ネットワークデバイスに対応するセル及び／又は第３ネットワークデバイスに対応するセルに基づいて決定されてよい。
【０１６９】
他の可能な様態で、受信モジュール１００３は、コアネットワークノードから、少なくとも１つの第２無線アクセスネットワークエリアの識別情報及び少なくとも１つの第２無線アクセスネットワークエリアの夫々に対応するセルの識別情報を受信するか、あるいは、コアネットワークノードから、少なくとも１つの第２追跡エリアの識別情報及び少なくとも１つの第２追跡エリアの夫々に対応するセルの識別情報を受信するよう更に構成される。
【０１７０】
上記の実施形態において、少なくとも１つのセルは、少なくとも１つの第２無線アクセスネットワークエリアの識別情報及び少なくとも１つの第２無線アクセスネットワークエリアの夫々に対応するセルの識別情報に基づいて決定されるか、あるいは、少なくとも１つのセルは、少なくとも１つの第２追跡エリアの識別情報及び少なくとも１つの第２追跡エリアの夫々に対応するセルの識別情報に基づいて決定される。
【０１７１】
図１０に示される実施形態における通信装置は、上記の方法の実施形態における技術的解決法を実行するよう構成されてよい。通信装置の実施原理及び技術的効果については、方法の実施形態の関連する記載を参照されたい。詳細はここで再び記載されない。任意に、通信装置は、基地局であってよく、あるいは、基地局のコンポーネント（例えば、チップ又は回路）であってよい。
【０１７２】
図１１は、本願の実施形態に従う他の通信装置の略構造図である。図１１に示されるように、通信装置１１０は、受信モジュール１１０１及び決定モジュール１１０２を含む。受信モジュール１１０１は、無線アクセスネットワーク通知エリアＲＮＡに関する情報及び少なくとも１つのセルの識別情報を受信するよう構成され、ＲＮＡに関する情報は、少なくとも１つの無線アクセスネットワークエリアの識別情報又は少なくとも１つの追跡エリアの識別情報を含む。決定モジュール１１０２は、端末の現在のセルの識別情報及び少なくとも１つのセルの識別情報に基づいて、無線アクセスネットワーク通知エリア更新ＲＮＡＵ通知メッセージを送るべきかどうかを決定するよう構成される。現在のセルが属する無線アクセスネットワークエリアの識別情報は、ＲＮＡに関する情報に含まれる、少なくとも１つの無線アクセスネットワークエリアの識別情報に属するか、あるいは、現在のセルが属する追跡エリアの識別情報は、ＲＮＡに関する情報に含まれる、少なくとも１つの追跡エリアの識別情報に属する。
【０１７３】
図１１で、更に、少なくとも１つのセルの夫々が属する無線アクセスネットワークエリアの識別情報は、ＲＮＡに関する情報に含まれる、少なくとも１つの無線アクセスネットワークエリアの識別情報に属するか、あるいは、少なくとも１つのセルの夫々が属する追跡エリアの識別情報は、ＲＮＡに関する情報に含まれる、少なくとも１つの追跡エリアの識別情報に属する。
【０１７４】
可能な様態で、決定モジュール１１０２は、現在のセルの識別情報が少なくとも１つのセルのうちのいずれか１つの識別情報と同じであるときに、ＲＮＡＵ通知メッセージをネットワークデバイスへ送ると決定するよう構成されてよく、少なくとも１つのセルの識別情報は、端末に、少なくとも１つの識別情報に対応するセルのいずれか１つにキャンプオンし、そして、端末が現在キャンプオンしているセルのネットワークデバイスへＲＮＡＵ通知メッセージを送るよう指示するために使用される。
【０１７５】
他の可能な様態で、決定モジュール１１０２は、現在のセルの識別情報が少なくとも１つのセルの夫々の識別情報とは異なるときに、ＲＮＡＵ通知メッセージをネットワークデバイスへ送ると決定するよう構成されてよく、少なくとも１つのセルの識別情報は、端末に、少なくとも１つのセルの識別情報に対応するセル以外のいずれかのセルにキャンプオンし、そして、端末が現在キャンプオンしているセルの基地局へＲＮＡＵ通知メッセージを送るよう指示するために使用される。
【０１７６】
図１１に示される実施形態における通信装置は、上記の方法の実施形態における技術的解決法を実行するよう構成されてよい。通信装置の実施原理及び技術的効果は、方法の実施形態のそれらと類似している。詳細はここで再び記載されない。任意に、通信装置は、端末であってよく、あるいは、端末のコンポーネント（例えば、チップ又は回路）であってよい。
【０１７７】
図８乃至図１１の通信装置内のモジュールの分割は、単に、論理的な機能分割にすぎない、ことが理解されるべきである。実際の実施では、モジュールの全て又は一部は、１つの物理エンティティに組み込まれてよく、あるいは、モジュールは、物理的に分離されていてもよい。その上、モジュールは、全て、処理要素を使用することによって呼び出されるソフトウェアの形で全て実装されてよく、又はハードウェアの形で実装されてよく、あるいは、いくつかモジュールは、処理要素を使用することによって呼び出されるソフトウェアの形で実装され、いくつかのモジュールは、ハードウェアの形で実装されてもよい。例えば、決定モジュールは、別々に配置されている処理要素であってよく、あるいは、通信装置に組み込まれてもよく、例えば、端末のチップにおいて実装されてよい。更には、決定モジュールは、プログラムの形で通信装置のメモリに記憶され、通信装置の処理要素によって、モジュールの機能を実行するよう呼び出されてよい。他のモジュールの実施は、これと類似する。更には、モジュールの全て又は一部は、一体化されてよく、あるいは、別々に実装されてよい。ここでの処理要素は、集積回路であってよく、信号処理機能を備えている。実施プロセスにおいて、上記の方法又は上記のモジュールのステップは、処理要素内のハードウェアの集積ロジックを使用することによって、又はソフトウェアの形を取る命令を使用することによって、実装可能である。
【０１７８】
例えば、上記のモジュールは、上記の方法を実行する１つ以上の集積回路、例えば、１つ以上の特定用途向け集積回路（Application  Specific  Integrated  Circuit，ＡＳＩＣ）、１つ以上のマイクロプロセッサ（digital  signal  processor，ＤＳＰ）、又は１つ以上のフィールド・プログラマブル・ゲート・アレイ（Field  Programmable  Gate  Array，ＦＰＧＡ）として構成されてよい。他の例として、モジュールの１つが処理要素によって呼び出されるプログラムの形で実装されるとき、処理要素は、汎用プロセッサ、例えば、中央演算処理装置（Central  Processing  Unit，ＣＰＵ）又はプログラムを呼び出し可能な他のプロセッサであってよい。他の例として、モジュールは、システム・オン・ア・チップ（system-on-a-chip，ＳＯＣ）の形で一体化されて実装されてもよい。
【０１７９】
図１２は、本願の実施形態に従う更なる他の通信装置の略構造図である。通信装置は、具体的に、基地局であってよい。図１２に示されるように、基地局は、アンテナ１２１、無線周波数装置１２２、及びベースバンド装置１２３を含む。アンテナ１２１は、無線周波数装置１２２へ接続されている。アップリンク方向で、無線周波数装置１２２は、アンテナ１２１を使用することによって、端末によって送信された情報を受信し、ベースバンド装置１２３に対して処理のために、端末によって送信された情報を送る。ダウンリンク方向で、ベースバンド装置１２３は、端末の情報を処理し、情報を無線周波数装置１２２へ送る。無線周波数装置１２２は、端末の情報を処理し、情報を、アンテナ１２１を使用することによって端末へ送る。
【０１８０】
上記の通信装置は、ベースバンド装置１２３に位置してよい。実施において、上記のモジュールは、処理要素によって呼び出されるプログラムの形で実装される。例えば、ベースバンド装置１２３は、処理要素及び記憶要素を含み、処理要素１２３１は、記憶要素１２３２に記憶されているプログラムを呼び出して、上記の方法の実施形態における方法を実行する。その上、ベースバンド装置１２３は、無線周波数装置１２２と情報を交換するよう構成されたインターフェース１２３３を更に含んでよい。インターフェースは、例えば、共通公衆無線インターフェース（common  public  radio  interface，ＣＰＲＩ）である。
【０１８１】
他の実施では、上記のモジュールは、上記の方法を実装する１つ以上の処理要素として構成されてよい。これらの処理要素は、ベースバンド装置１２３に配置される。ここでの処理要素は、集積回路、例えば、１つ以上のＡＳＩＣ、１つ以上のＤＳＰ、又は１つ以上のＦＰＧＡであってよい。集積回路は、チップを形成するよう一体化されてよい。
【０１８２】
例えば、上記のモジュールは、システム・オン・ア・チップ（system-on-a-chip，ＳＯＣ）の形で一体化されて実装されてもよい。例えば、ベースバンド装置１２３は、ＳＯＣチップを含み、ＳＯＣチップは、上記の方法を実装するよう構成される。処理要素１２３１及び記憶要素１２３２は、チップに集積されてよく、処理要素１２３１は、記憶要素１２３２に記憶されているプログラムを呼び出して、上記の方法又は上記のモジュールの機能を実装する。代替的に、少なくとも１つの集積回路は、上記の方法又は上記のモジュールの機能を実装するようチップにまとめられてもよい。代替的に、上記の実施は、組み合わされてよく、いくつかのモジュールの機能は、プログラムを呼び出すことによって処理要素によって実装され、いくつかのモジュールの機能は、集積回路を使用することによって実装される。
【０１８３】
使用される様態に関わらず、通信装置は、少なくとも１つの処理要素と、記憶要素と、通信インターフェースとを含み、少なくとも１つの処理要素は、上記の方法の実施形態で提供される方法を実行するよう構成される。処理要素は、記憶要素に記憶されているプログラムを実行する第１様態で、又は命令を参照して処理要素内のハードウェアの集積論理回路を使用する第２様態で、上記の方法の実施形態における方法の一部又は全部を実行してよい。確かに、上記の方法の実施形態で提供される方法は、代替的に、第１様態を第２様態と組み合わせることによって実行されてもよい。
【０１８４】
上記の記載と同様に、ここでの処理要素は、汎用プロセッサ、例えば、中央演算処理装置（Central  Processing  Unit，ＣＰＵ）であってよく、あるいは、上記の方法を実行する１つ以上の集積回路、例えば、１つ以上の特定用途向け集積回路（Application  Specific  integrated  Circuit，ＡＳＩＣ）、１つ以上のマイクロプロセッサ（digital  signal  processor，ＤＳＰ）、又は１つ以上のフィールド・プログラマブル・ゲート・アレイ（Field  Programmable  Gate  Array，ＦＰＧＡ）として構成されてよい。記憶要素は、メモリであってよく、あるいは、複数の記憶要素のための一般名称であってよい。
【０１８５】
図１３は、本願の実施形態に従う更なる他の通信装置の略構造図である。図１３に示されるように、通信装置１３０は、プロセッサ１３２及びトランシーバ装置１３３を含む。トランシーバ装置１３３は、ネットワークデバイスから、無線アクセスネットワーク通知エリアＲＮＡに関する情報及び少なくとも１つのセルの識別情報を受信するよう構成され、ＲＮＡに関する情報は、少なくとも１つの無線アクセスネットワークエリアの識別情報又は少なくとも１つの追跡エリアの識別情報を含む。プロセッサ１３２は、端末の現在のセルの識別情報及び少なくとも１つのセルの識別情報に基づいて、無線アクセスネットワーク通知エリア更新ＲＮＡＵ通知メッセージを送るべきかどうかを決定するよう構成される。現在のセルが属する無線アクセスネットワークエリアの識別情報は、ＲＮＡに関する情報に含まれている少なくとも１つの無線アクセスネットワークエリアの識別情報に属するか、あるいは、現在のセルが属する追跡エリアの識別情報は、ＲＮＡに関する情報に含まれている少なくとも１つの追跡エリアの識別情報に属する。更に、通信装置１３０は、コンピュータプログラム又は命令を記憶するよう構成されたメモリ１３１を更に含む。プロセッサ１３２は、プログラム又は命令を呼び出すよう構成される。
【０１８６】
図１３に示される実施形態における通信装置は、上記の方法の実施形態における技術的解決法を実行するよう構成されてよい。通信装置の実施原理及び技術的効果については、方法の実施形態の関連する記載を参照されたい。詳細はここで再び記載されない。任意に、通信装置は、端末であってよく、あるいは、端末のコンポーネント（例えば、チップ又は回路）であってよい。
【０１８７】
図１３で、トランシーバ装置１３３は、アンテナへ接続されてよい。ダウンリンク方向で、トランシーバ装置１３３は、アンテナを使用することによって、基地局によって送信された情報を受信し、情報を処理のためにプロセッサ１３２へ送る。アップリンク方向で、プロセッサ１３２は、端末のデータを処理し、データを、トランシーバ装置１３３を使用することによって基地局へ送る。
【０１８８】
任意に、プロセッサ１３２は、図１１に示される通信装置内の決定モジュール１１０２の対応する機能を実装するよう構成されてよく、トランシーバ装置は、図１１に示される通信装置内の受信モジュール１１０１の対応する機能を実装するよう構成されてよい。代替的に、ジョプキノモジュールの一部又は全ては、端末のチップに埋め込まれている集積回路を使用することによって実装されてよい。その上、モジュールは、別々に実装されてよく、あるいは、一体化されてよい。言い換えれば、上記のモジュールは、上記の方法を実行する１つ以上の集積回路、例えば、１つ以上の特定用途向け集積回路（Application  Specific  integrated  Circuit，ＡＳＩＣ）、１つ以上のマイクロプロセッサ（digital  signal  processor，ＤＳＰ）、又は１つ以上のフィールド・プログラマブル・ゲート・アレイ（Field  Programmable  Gate  Array，ＦＰＧＡ）として構成されてよい。
【０１８９】
本願の実施形態は、コンピュータ可読記憶媒体を更に提供し、コンピュータ可読記憶媒体は、コンピュータプログラムを記憶している。コンピュータプログラムがコンピュータで実行される場合に、コンピュータは、上記の実施形態における通信方法を実行することを可能にされる。
【０１９０】
その上、本願の実施形態は、コンピュータプログラム製品を更に提供し、コンピュータプログラム製品は、コンピュータプログラムを含む。コンピュータプログラムがコンピュータで実行される場合に、コンピュータは、上記の実施形態における通信方法を実行することを可能にされる。
【０１９１】
上記の実施形態の全て又は一部は、ソフトウェア、ハードウェア、ファームウェア、又はそれらの任意の組み合わせを通じて実装されてよい。ソフトウェアが実施形態を実装するために使用される場合に、実施形態は、全て又は部分的に、コンピュータプログラム製品の形を取ってよい。コンピュータプログラム製品は、１つ以上のコンピュータ命令を含む。コンピュータプログラム命令がコンピュータでロード及び実行される場合に、本願に従うプロシージャ又は機能は、全て又は部分的に生成される。コンピュータは、汎用コンピュータ、専用コンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ伝送されてもよい。例えば、コンピュータ命令は、ウェブサイト、コンピュータ、サーバ、又はデータセンターから、他のウェブサイト、コンピュータ、サーバ、又はデータセンターへ、有線（例えば、同軸ケーブル、光ファイバ、若しくはデジタル加入者回線）又は無線（例えば、赤外線、電波、若しくはマイクロ波）で伝送されてよい。コンピュータ可読記憶媒体は、コンピュータによってアクセス可能な任意の使用可能な媒体、又は１つ以上の使用可能な媒体を含むサーバ若しくはデータセンターのようなデータ記憶デバイスであってよい。使用可能な媒体は、磁気媒体（例えば、フロッピーディスク、ハードディスク、又は磁気テープ）、光学媒体（例えば、ＤＶＤ）、半導体媒体（例えば、固体状態ディスクSolid  State  Disk）、などであってよい。
【０１９２】
本願は、２０１８年４月４日付けで「COMMUNICATION  METHOD  AND  COMMUNICTIONS  APPRATUS」と題されて中国の国家知識産権局に出願された中国特許出願第２０１８１０３００５５９４号の優先権を主張する。なお、先の中国特許出願は、その全文を参照により本願に援用される。
【図１】
2021520131.tif 000004
【図２】
2021520131.tif 000005
【図３】
2021520131.tif 000006
【図４】
2021520131.tif 000007
【図５】
2021520131.tif 000008
【図６】
2021520131.tif 000009
【図７】
2021520131.tif 000010
【図８】
2021520131.tif 000011
【図９】
2021520131.tif 000012
【図１０】
2021520131.tif 000013
【図１１】
2021520131.tif 000014
【図１２】
2021520131.tif 000015
【図１３】
2021520131.tif 000016
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
第２ネットワークデバイスによって、第３ネットワークデバイスから、該第３ネットワークデバイスに対応する第１セルが属する第１無線アクセスネットワークエリアの第１識別情報を受け取ることと、
前記第２ネットワークデバイスによって、前記第１セルの第２識別情報及び前記第１無線アクセスネットワークエリアの前記第１識別情報を第１ネットワークデバイスへ送ることと
を有する通信方法。
【請求項２】
前記第２ネットワークデバイスによって、前記第３ネットワークデバイスから前記第２識別情報を受け取ることを更に有する、
請求項１に記載の通信方法。
【請求項３】
前記第１識別情報は、無線アクセスネットワークエリアコードを含む、
請求項１又は２に記載の通信方法。
【請求項４】
前記無線アクセスネットワークエリアコードによって識別されるエリアは、１つ以上のセルを含む、
請求項３に記載の通信方法。
【請求項５】
前記第２ネットワークデバイスによって、該第２ネットワークデバイスに対応する第２セルの第３識別情報と、該第２セルが属する第２無線ネットワークエリアの第４識別情報とを前記第１ネットワークデバイスへ送ることを更に有する、
請求項１乃至４のうちいずれか一項に記載の通信方法。
【請求項６】
前記第４識別情報は、第２無線アクセスネットワークエリアコードを含む、
請求項５に記載の通信方法。
【請求項７】
前記第２無線アクセスネットワークエリアコードによって識別されるエリアは、１つ以上のセルを含む、
請求項６に記載の通信方法。
【請求項８】
第１ネットワークデバイスによって、第３ネットワークデバイスに対応する第１セルが属する第１無線アクセスネットワークエリアの第１識別情報と、該第１セルの第２識別情報とを第２ネットワークデバイスから受け取ることと、
前記第１ネットワークデバイスによって、前記第２ネットワークデバイスに対応する第２セルの第３識別情報と、該第２セルが属する第２無線ネットワークエリアの第４識別情報とを前記第２ネットワークデバイスから受け取ることと
を有する通信方法。
【請求項９】
前記第１識別情報は、第１無線アクセスネットワークエリアコードを含み、
前記第４識別情報は、第２無線アクセスネットワークエリアコードを含む、
請求項８に記載の通信方法。
【請求項１０】
前記第１無線アクセスネットワークエリアコードによって識別されるエリアは、１つ以上のセルを含み、
前記第２無線アクセスネットワークエリアコードによって識別されるエリアは、１つ以上のセルを含む、
請求項９に記載の通信方法。
【請求項１１】
請求項１乃至７のうちいずれか一項に記載の通信方法を実装するよう構成される通信装置。
【請求項１２】
請求項８乃至１０のうちいずれか一項に記載の通信方法を実装するよう構成される通信装置。
【請求項１３】
第１ネットワークデバイス及び第２ネットワークデバイスを有し、
前記第１ネットワークデバイスは、請求項１２に記載の通信装置を有し、
前記第２ネットワークデバイスは、請求項１１に記載の通信装置を有する、
通信システム。
【請求項１４】
前記第２ネットワークデバイスに対して、第３ネットワークデバイスに対応する第１セルが属する第１無線アクセスネットワークエリアの第１識別情報を送るよう構成される前記第３ネットワークデバイスを更に有する、
請求項１３に記載の通信システム。
【請求項１５】
コンピュータプログラムであって、
前記コンピュータプログラムがコンピュータで実行されるときに、前記コンピュータは、請求項１乃至７のうちいずれか一項に記載の方法を実行することを可能にされる、
コンピュータプログラム。
【請求項１６】
コンピュータプログラムであって、
前記コンピュータプログラムがコンピュータで実行されるときに、前記コンピュータは、請求項８乃至１０のうちいずれか一項に記載の方法を実行することを可能にされる、
コンピュータプログラム。
【手続補正２】
【補正対象書類名】明細書
【補正対象項目名】００３４
【補正方法】変更
【補正の内容】
【００３４】
可能な設計で、第８の態様のプログラムは、全て又は部分的に、プロセッサとともにパッケージ化された記憶媒体に記憶されてよく、あるいは、全て又は部分的に、プロセッサとともにパッケージ化されていないメモリに記憶されてもよい。
【手続補正３】
【補正対象書類名】明細書
【補正対象項目名】００７４
【補正方法】変更
【補正の内容】
【００７４】
コアネットワークノードから指示情報を受信した後、第１ネットワークデバイス、第２ネットワークデバイス、及び第３ネットワークデバイスは、指示情報の指示に基づいて、対応するページングメッセージを送信する。ページングメッセージがＲＡＮベースのページングである場合に、ＲＡＮベースのページングは、端末の第１識別情報を含む。第１識別情報は、ＲＮＡにおいて端末を一意に識別し得る。ページングメッセージがＣＮベースのページングである場合に、ＣＮベースのページングは、端末の第２識別情報を含む。端末の第２識別情報は、端末に対応するシステムアーキテクチャエボリューション−一時モバイル加入者アイデンティティ（Ｓ−ＴＭＳＩ）、端末に対応する国際モバイル加入者アイデンティティ（International  Mobile  Subscriber  Identity，ＩＭＳＩ）、又はＳ−ＴＭＳＩ若しくはＩＭＳＩに基づいて決定され、端末に対応する識別情報のうちのいずれか１つであってよい。
【手続補正４】
【補正対象書類名】明細書
【補正対象項目名】００８３
【補正方法】変更
【補正の内容】
【００８３】
代替的に、ステップＳ３０３で、第１ネットワークデバイスは、ＲＮＡに関する情報及び端末の第２識別情報をコアネットワークノードへ送信してよい。ステップＳ３０４で、コアネットワークノードによって第１ネットワークデバイスへ送信される指示情報は、端末をページングするための、ＣＮベースのページングのような第２ページングメッセージを送るよう第１ネットワークデバイスに指示するために使用される。ステップＳ３０５で、第１ネットワークデバイスによって送信されるページングメッセージは、具体的に、ＣＮベースのページングであり、ＣＮベースのページングは、端末の第２識別情報を含む。ステップＳ３０６乃至Ｓ３０９は、これと類似しており、詳細はここで再び記載されない。
【手続補正５】
【補正対象書類名】明細書
【補正対象項目名】０１１１
【補正方法】変更
【補正の内容】
【０１１１】
可能な場合に、少なくとも１つのセルの識別情報は、端末に、その少なくとも１つのセルの識別情報に対応するセルのいずれか１つにキャンプオンし、そして、端末が現在キャンプオンしているセルの基地局へＲＮＡＵ通知メッセージを送るよう指示するために使用される。例えば、可能な様態において、少なくとも１つのセルは、ソース基地局に対応するセルの非隣接セルである。例えば、ソース基地局によって端末へ送られる少なくとも１つのセルの識別情報は、セル６、セル７、及びセル８の識別情報である。任意に、セル６、セル７、及びセル８は、ソース基地局に対応するセルの非隣接セルである。代替的に、ソース基地局は、この場合にブラックリストを端末へ送信する、と理解され得る。この場合に、端末が現在キャンプオンしているセルの識別情報が、ブラックリスト内のセルの識別情報と同じである場合に、端末は、端末が現在キャンプオンしているセルの基地局はＲＮＡＵ通知メッセージを送る。
【手続補正６】
【補正対象書類名】明細書
【補正対象項目名】０１１２
【補正方法】変更
【補正の内容】
【０１１２】
例えば、端末はセル６にキャンプオンし、セル６に対応するＲＡＮエリアＩＤは１０であり、ＲＡＮエリアＩＤ１０は、ソース基地局によって端末へ送られるＲＮＡに関する情報に含まれている少なくとも１つの無線アクセスネットワークエリアの識別情報に属する。代替的に、セル６に対応するＲＡＮエリアＩＤ１０は、ソース基地局によって端末のために設定されたＲＮＡに関する情報内のＲＡＮエリアＩＤ１０と同じである。この場合に、端末によって受信される少なくとも１つのセルの識別情報はセル６、セル７、及びセル８の識別情報であり、つまり、セル６の識別情報はブラックリスト内にある。従って、端末は、セル６に対応する基地局へＲＮＡＵ通知メッセージを送信し、それにより、ネットワークデバイス又はコアネットワークノードは、端末の位置情報を決定する。
【手続補正７】
【補正対象書類名】明細書
【補正対象項目名】０１１４
【補正方法】変更
【補正の内容】
【０１１４】
例えば、端末はセル６にキャンプオンし、セル６に対応するＲＡＮエリアＩＤは１０であり、ＲＡＮエリアＩＤ１０は、ソース基地局によって端末へ送られるＲＮＡに関する情報に含まれている少なくとも１つの無線アクセスネットワークエリアの識別情報に属する。代替的に、セル６に対応するＲＡＮエリアＩＤ１０は、ソース基地局によって端末のために設定されたＲＮＡに関する情報内のＲＡＮエリアＩＤ１０と同じである。この場合に、端末によって受信される少なくとも１つのセルの識別情報はセル１、セル２、セル３、セル４、及びセル５の識別情報であり、つまり、セル６の識別情報はホワイトリスト内にない。従って、端末は、セル６に対応する基地局へＲＮＡＵ通知メッセージを送信し、それにより、ネットワークデバイス又はコアネットワークノードは、端末の位置情報を決定する。
【手続補正８】
【補正対象書類名】明細書
【補正対象項目名】０１３３
【補正方法】変更
【補正の内容】
【０１３３】
本願のこの実施形態において、１つの基地局（基地局Ａ）がＲＡＮエリアＩＤ又はＴＡの識別情報を他の基地局（基地局Ｂ）へ送信する工程で、基地局Ａは、基地局Ａの識別情報も基地局Ｂへ送信する、と理解され得る。例えば、図６に示されるように、基地局２は、ソース基地局１に対してＸｎインターフェースを通じて、基地局２に対応するセルが属するＲＡＮエリア又はＴＡの識別情報を送るだけでなく、基地局２の識別情報もソース基地局１へ送ってよい。
【手続補正９】
【補正対象書類名】明細書
【補正対象項目名】０１４８
【補正方法】変更
【補正の内容】
【０１４８】
本願で記載されるプロセッサ及びトランシーバは、集積回路（integrated  circuit，ＩＣ）、アナログＩＣ、無線周波数集積回路ＲＦＩＣ、混合信号ＩＣ、特定用途向け集積回路（ＡＳＩＣ）、印刷回路基板（printed  circuit  board，ＰＣＢ）、電子デバイス、などで実装されてよい。プロセッサ及びトランシーバは、相補型金属酸化膜半導体（ＣＭＯＳ）、Ｎチャネル金属酸化膜半導体（ＮＭＯＳ）、ｐチャネル金属酸化膜半導体（ＰＭＯＳ）、バイポーラ接合トランジスタ（Bipolar  Junction  Transistor，ＢＪＴ）、バイポーラＣＭＯＳ（ＢｉＣＭＯＳ）、シリコンゲルマニウム（ＳｉＧｅ）、及びガリウムヒ素（ＧａＡｓ）のような様々なＩＣプロセス技術を使用することによって製造されてよい。
【手続補正１０】
【補正対象書類名】明細書
【補正対象項目名】０１７７
【補正方法】変更
【補正の内容】
【０１７７】
図８乃至図１１の通信装置内のモジュールの分割は、単に、論理的な機能分割にすぎない、ことが理解されるべきである。実際の実施では、モジュールの全て又は一部は、１つの物理エンティティに組み込まれてよく、あるいは、モジュールは、物理的に分離されていてもよい。その上、モジュールは、全て、処理要素を使用することによって呼び出されるソフトウェアの形で全て実装されてよく、又はハードウェアの形で実装されてよく、あるいは、いくつかモジュールは、処理要素を使用することによって呼び出されるソフトウェアの形で実装され、いくつかのモジュールは、ハードウェアの形で実装されてもよい。例えば、決定モジュールは、別々に配置されている処理要素であってよく、あるいは、通信装置に組み込まれてもよく、例えば、端末のチップにおいて実装されてよい。更には、決定モジュールは、プログラムの形で通信装置のメモリに記憶され、通信装置の処理要素によって、決定モジュールの機能を実行するよう呼び出されてよい。他のモジュールの実施は、これと類似する。更には、モジュールの全て又は一部は、一体化されてよく、あるいは、別々に実装されてよい。ここでの処理要素は、集積回路であってよく、信号処理機能を備えている。実施プロセスにおいて、上記の方法又は上記のモジュールのステップは、処理要素内のハードウェアの集積ロジックを使用することによって、又はソフトウェアの形を取る命令を使用することによって、実装可能である。
【手続補正１１】
【補正対象書類名】明細書
【補正対象項目名】０１７８
【補正方法】変更
【補正の内容】
【０１７８】
例えば、上記のモジュールは、上記の方法を実行する１つ以上の集積回路、例えば、１つ以上の特定用途向け集積回路（Application  Specific  Integrated  Circuit，ＡＳＩＣ）、１つ以上のマイクロプロセッサ（ＤＳＰ）、又は１つ以上のフィールド・プログラマブル・ゲート・アレイ（Field  Programmable  Gate  Array，ＦＰＧＡ）として構成されてよい。他の例として、モジュールの１つが処理要素によって呼び出されるプログラムの形で実装されるとき、処理要素は、汎用プロセッサ、例えば、中央演算処理装置（Central  Processing  Unit，ＣＰＵ）又はプログラムを呼び出し可能な他のプロセッサであってよい。他の例として、モジュールは、システム・オン・ア・チップ（system-on-a-chip，ＳＯＣ）の形で一体化されて実装されてもよい。
【手続補正１２】
【補正対象書類名】明細書
【補正対象項目名】０１９２
【補正方法】変更
【補正の内容】
【０１９２】
本願は、２０１８年４月４日付けで「COMMUNICATION  METHOD  AND  COMMUNICTIONS  APPRATUS」と題されて中国の国家知識産権局に出願された中国特許出願第２０１８１０３００５５９．４号の優先権を主張する。なお、先の中国特許出願は、その全文を参照により本願に援用される。
【国際調査報告】
2021520131.tif 000017
2021520131.tif 000018
2021520131.tif 000019
2021520131.tif 000020
2021520131.tif 000021
2021520131.tif 000022